(57)【要約】【課題】従来、会計士が顧問先のレベル等に応じて、顧問先のユーザインターフェイス（ＵＩ）を設定できなかった。【解決手段】会計士である第一ユーザを識別する第一ユーザ識別子と顧問先である第二ユーザを識別する１以上の第二ユーザ識別子とを有する１以上のユーザ管理情報を格納し得るユーザ管理情報格納部と、第二ユーザ識別子と、第二ユーザのＵＩに関するＵＩカスタマイズ情報とを、第二ユーザの顧問である第一ユーザの第一端末から受信するＵＩカスタマイズ情報受信部と、第二ユーザ識別子を有するアクセス指示を、第二ユーザの第二端末から受信するアクセス指示受信部と、アクセス指示が有する第二ユーザ識別子に対応するＵＩカスタマイズ情報を用いて構成されるＵＩを構成するＵＩ情報を第二端末に送信するＵＩ情報送信部とを具備する会計情報処理装置１により、会計士が、顧問先のレベル等に応じて、顧問先が利用するＵＩを設定できる。【選択図】図１
2018133112.tif 000002
【特許請求の範囲】
【請求項１】
会計士である第一ユーザを識別する第一ユーザ識別子と当該会計士の顧問先である１以上の第二ユーザを識別する１以上の第二ユーザ識別子とを有する１以上のユーザ管理情報を格納し得るユーザ管理情報格納部と、
第二ユーザを識別する第二ユーザ識別子と、当該第二ユーザが使用するユーザインターフェイスに関する情報であるＵＩカスタマイズ情報とを、当該第二ユーザの顧問の会計士である第一ユーザの第一端末から受信するＵＩカスタマイズ情報受信部と、
第二ユーザ識別子を有するアクセス指示を、当該第二ユーザ識別子で識別される第二ユーザの第二端末から受信するアクセス指示受信部と、
前記アクセス指示が有する第二ユーザ識別子に対応するＵＩカスタマイズ情報を用いて構成されるユーザインターフェイスを構成するＵＩ情報を、前記第二端末に送信するＵＩ情報送信部とを具備する会計情報処理装置。
【請求項２】
各第二ユーザ識別子に対応付けて、１または２以上の会計情報を格納し得る会計情報格納部と、
第二ユーザ識別子を有する会計情報取得指示を、当該第二ユーザ識別子で識別される第二ユーザの第二端末から受信する会計情報取得指示受信部と、
前記会計情報取得指示が有する第二ユーザ識別子に対応付けられた１以上の会計情報を前記会計情報格納部から取得する会計情報取得部と、
前記１以上の会計情報を前記第二端末に送信する会計情報送信部とをさらに具備する請求項１記載の会計情報処理装置。
【請求項３】
第二ユーザ識別子と、当該第二ユーザ識別子で識別される第二ユーザが使用するユーザインターフェイスに関するＵＩカスタマイズ情報との組である１以上のユーザ別ＵＩカスタマイズ情報を格納し得るユーザ別ＵＩカスタマイズ情報格納部と、
前記ＵＩカスタマイズ情報受信部が受信した第二ユーザ識別子とＵＩカスタマイズ情報とを有するユーザ別ＵＩカスタマイズ情報を前記ユーザ別ＵＩカスタマイズ情報格納部に蓄積するユーザ別ＵＩカスタマイズ情報蓄積部と、
前記アクセス指示が有する第二ユーザ識別子に対応するＵＩカスタマイズ情報を前記ユーザ別ＵＩカスタマイズ情報格納部から取得し、当該ＵＩカスタマイズ情報を用いてＵＩ情報を構成するＵＩ情報構成部とをさらに具備し、
前記ＵＩ情報送信部は、
前記ＵＩ情報構成部が構成したＵＩ情報を前記第二端末に送信する請求項１または請求項２記載の会計情報処理装置。
【請求項４】
第二ユーザ識別子とＵＩカスタマイズ情報とを、前記第二ユーザの第二端末から受信する第二ＵＩカスタマイズ情報受信部をさらに具備し、
前記ＵＩ情報送信部は、
前記アクセス指示が有する第二ユーザ識別子に対応するＵＩカスタマイズ情報であり、前記第二ＵＩカスタマイズ情報受信部が受信したＵＩカスタマイズ情報を用いて構成されるユーザインターフェイスを構成するＵＩ情報を、前記第二端末に送信する請求項１から請求項３いずれか一項に記載の会計情報処理装置。
【請求項５】
前記第二ＵＩカスタマイズ情報受信部が第二ユーザ識別子とＵＩカスタマイズ情報とを受信した場合、第二ユーザ識別子とＵＩカスタマイズ情報とを受信したことに関する情報であるＵＩ変更情報を、前記第二ユーザ識別子と対になる第一ユーザ識別子で識別される第一端末に送信するＵＩ変更情報送信部をさらに具備する請求項４記載の会計情報処理装置。
【請求項６】
顧問先のユーザインターフェイスを確認する指示であり、顧問先の第二ユーザ識別子を有する指示である確認指示を、当該第二ユーザ識別子と対になる第一ユーザ識別子で識別さされる第一ユーザの第一端末から受信する確認指示受信部をさらに具備し、
前記ＵＩ情報送信部は、
前記確認指示が有する第二ユーザ識別子に対応するＵＩカスタマイズ情報を用いて構成されるユーザインターフェイスを構成するＵＩ情報を、前記第一端末に送信する請求項１から請求項５いずれか一項に記載の会計情報処理装置。
【請求項７】
前記ＵＩカスタマイズ情報受信部が受信するＵＩカスタマイズ情報は、ＵＩ情報を識別する２以上のＵＩ情報識別子のうちの一のＵＩ情報識別子であり、
前記ＵＩ情報送信部は、
前記アクセス指示が有する第二ユーザ識別子に対応するＵＩ情報識別子に対応するユーザインターフェイスを構成するＵＩ情報を、前記第二端末に送信する請求項１から請求項６いずれか一項に記載の会計情報処理装置。
【請求項８】
顧問先のＵＩの設定を行う指示であり、第一ユーザを識別する第一ユーザ識別子を有するＵＩ設定指示を第一端末から受信するＵＩ設定指示受信部と、
前記ＵＩ設定指示が有する第一ユーザ識別子と対になる１または２以上の第二ユーザ識別子に対する１以上の第二ユーザのユーザインターフェイスを設定するための画面であるＵＩ設定画面を構成するＵＩ設定画面情報を、前記第一端末に送信するＵＩ設定画面情報送信部とをさらに具備する請求項１から請求項７いずれか一項に記載の会計情報処理装置。
【請求項９】
記録媒体は、
会計士である第一ユーザを識別する第一ユーザ識別子と当該会計士の顧問先である１以上の第二ユーザを識別する１以上の第二ユーザ識別子とを有する１以上のユーザ管理情報を格納し得るユーザ管理情報格納部を具備し、
ＵＩカスタマイズ情報受信部、アクセス指示受信部、ＵＩ情報送信部により実現される会計情報処理方法であって、
前記ＵＩカスタマイズ情報受信部が、第二ユーザを識別する第二ユーザ識別子と、当該第二ユーザが使用するユーザインターフェイスに関する情報であるＵＩカスタマイズ情報とを、当該第二ユーザの顧問の会計士である第一ユーザの第一端末から受信するＵＩカスタマイズ情報受信ステップと、
前記アクセス指示受信部が、第二ユーザ識別子を有するアクセス指示を、当該第二ユーザ識別子で識別される第二ユーザの第二端末から受信するアクセス指示受信ステップと、
前記ＵＩ情報送信部が、前記アクセス指示が有する第二ユーザ識別子に対応するＵＩカスタマイズ情報を用いて構成されるユーザインターフェイスを構成するＵＩ情報を、前記第二端末に送信するＵＩ情報送信ステップとを具備する会計情報処理方法。
【請求項１０】
コンピュータがアクセス可能な記録媒体は、
会計士である第一ユーザを識別する第一ユーザ識別子と当該会計士の顧問先である１以上の第二ユーザを識別する１以上の第二ユーザ識別子とを有する１以上のユーザ管理情報を格納し得るユーザ管理情報格納部を具備し、
コンピュータを、
第二ユーザを識別する第二ユーザ識別子と、当該第二ユーザが使用するユーザインターフェイスに関する情報であるＵＩカスタマイズ情報とを、当該第二ユーザの顧問の会計士である第一ユーザの第一端末から受信するＵＩカスタマイズ情報受信部と、
第二ユーザ識別子を有するアクセス指示を、当該第二ユーザ識別子で識別される第二ユーザの第二端末から受信するアクセス指示受信部と、
前記アクセス指示が有する第二ユーザ識別子に対応するＵＩカスタマイズ情報を用いて構成されるユーザインターフェイスを構成するＵＩ情報を、前記第二端末に送信するＵＩ情報送信部として機能させるためのプログラム。
【発明の詳細な説明】
【技術分野】
【０００１】
本発明は、会計情報を処理する会計情報処理装置等に関するものである。
【背景技術】
【０００２】
従来、日々発生する多種多様な経済取引の情報群を仕訳対象として、それらの情報入力及び仕訳作業を自動化することが可能なＳａａＳ型汎用会計処理システムがあった（例えば、特許文献１参照）。本システムは、金融機関／電子マネー／クレジット／ベンダ／の各システムを含む各事業者システムから当該企業の仕訳対象データをネットワーク経由で取得する手段と、取得した仕訳対象データ内の取引明細情報と仕訳用のマッチング情報との照合に基づいて前記仕訳対象データ内の当該取引の仕訳パターンを自動判別する手段と、自動判別ができた場合には判別された仕訳パターンに基づいて当該取引の仕訳処理を自動で行い、自動判別ができなかった場合には仕訳情報入力画面上で入力されたユーザ入力データに基づいて当該取引の仕訳処理を自動で行う手段と、仕訳情報入力画面上で入力されたユーザ入力データをマッチング情報として自動的に追加設定する手段と、を備えた構成である。
【先行技術文献】
【特許文献】
【０００３】
【特許文献１】特開２０１１−１７０４９０号公報（第１頁、第１図等）
【発明の概要】
【発明が解決しようとする課題】
【０００４】
しかしながら、従来技術においては、会計士が、顧問先のレベル等に応じて、顧問先が利用するユーザインターフェイスを設定できなかった。
【課題を解決するための手段】
【０００５】
本第一の発明の会計情報処理装置は、会計士である第一ユーザを識別する第一ユーザ識別子と会計士の顧問先である１以上の第二ユーザを識別する１以上の第二ユーザ識別子とを有する１以上のユーザ管理情報を格納し得るユーザ管理情報格納部と、第二ユーザを識別する第二ユーザ識別子と、第二ユーザが使用するユーザインターフェイスに関する情報であるＵＩカスタマイズ情報とを、第二ユーザの顧問の会計士である第一ユーザの第一端末から受信するＵＩカスタマイズ情報受信部と、第二ユーザ識別子を有するアクセス指示を、第二ユーザ識別子で識別される第二ユーザの第二端末から受信するアクセス指示受信部と、アクセス指示が有する第二ユーザ識別子に対応するＵＩカスタマイズ情報を用いて構成されるユーザインターフェイスを構成するＵＩ情報を、第二端末に送信するＵＩ情報送信部とを具備する会計情報処理装置である。
【０００６】
かかる構成により、会計士が、顧問先のレベル等に応じて、顧問先が利用するユーザインターフェイスを設定できる。
【０００７】
また、本第二の発明の会計情報処理装置は、第一の発明に対して、各第二ユーザ識別子に対応付けて、１または２以上の会計情報を格納し得る会計情報格納部と、第二ユーザ識別子を有する会計情報取得指示を、第二ユーザ識別子で識別される第二ユーザの第二端末から受信する会計情報取得指示受信部と、会計情報取得指示が有する第二ユーザ識別子に対応付けられた１以上の会計情報を会計情報格納部から取得する会計情報取得部と、１以上の会計情報を第二端末に送信する会計情報送信部とをさらに具備する会計情報処理装置である。
【０００８】
かかる構成により、会計士が、顧問先のレベル等に応じて、顧問先が利用するユーザインターフェイスを設定できる。
【０００９】
また、本第三の発明の会計情報処理装置は、第一または第二の発明に対して、第二ユーザ識別子と、第二ユーザ識別子で識別される第二ユーザが使用するユーザインターフェイスに関するＵＩカスタマイズ情報との組である１以上のユーザ別ＵＩカスタマイズ情報を格納し得るユーザ別ＵＩカスタマイズ情報格納部と、ＵＩカスタマイズ情報受信部が受信した第二ユーザ識別子とＵＩカスタマイズ情報とを有するユーザ別ＵＩカスタマイズ情報をユーザ別ＵＩカスタマイズ情報格納部に蓄積するユーザ別ＵＩカスタマイズ情報蓄積部と、アクセス指示が有する第二ユーザ識別子に対応するＵＩカスタマイズ情報をユーザ別ＵＩカスタマイズ情報格納部から取得し、ＵＩカスタマイズ情報を用いてＵＩ情報を構成するＵＩ情報構成部とをさらに具備し、ＵＩ情報送信部は、ＵＩ情報構成部が構成したＵＩ情報を第二端末に送信する会計情報処理装置である。
【００１０】
かかる構成により、会計士が、顧問先のレベル等に応じて、顧問先が利用するユーザインターフェイスを設定できる。
【００１１】
また、本第四の発明の会計情報処理装置は、第一から第三いずれかの発明に対して、第二ユーザ識別子とＵＩカスタマイズ情報とを、第二ユーザの第二端末から受信する第二ＵＩカスタマイズ情報受信部をさらに具備し、ＵＩ情報送信部は、アクセス指示が有する第二ユーザ識別子に対応するＵＩカスタマイズ情報であり、第二ＵＩカスタマイズ情報受信部が受信したＵＩカスタマイズ情報を用いて構成されるユーザインターフェイスを構成するＵＩ情報を、第二端末に送信する会計情報処理装置である。
【００１２】
かかる構成により、顧問先がユーザインターフェイスを変更できる。
【００１３】
また、本第五の発明の会計情報処理装置は、第四の発明に対して、第二ＵＩカスタマイズ情報受信部が第二ユーザ識別子とＵＩカスタマイズ情報とを受信した場合、第二ユーザ識別子とＵＩカスタマイズ情報とを受信したことに関する情報であるＵＩ変更情報を、第二ユーザ識別子と対になる第一ユーザ識別子で識別される第一端末に送信するＵＩ変更情報送信部をさらに具備する会計情報処理装置である。
【００１４】
かかる構成により、顧問先がユーザインターフェイスを変更した場合、顧問の会計士が当該変更を知ることができる。
【００１５】
また、本第六の発明の会計情報処理装置は、第四または第五の発明に対して、第一端末からユーザインターフェイスの変更を許可する許可情報を受信する許可情報受信部をさらに具備し、許可情報受信部が許可情報を受信した場合のみ、許可情報に対応する第二ユーザ識別子と対になるＵＩカスタマイズ情報の受け付けであり、第二端末からの受け付けが可能となる会計情報処理装置である。
【００１６】
かかる構成により、会計士の許可がある場合のみ、顧問先がユーザインターフェイスを変更できる。
【００１７】
また、本第七の発明の会計情報処理装置は、第一から第六いずれかの発明に対して、顧問先のユーザインターフェイスを確認する指示であり、顧問先の第二ユーザ識別子を有する指示である確認指示を、第二ユーザ識別子と対になる第一ユーザ識別子で識別さされる第一ユーザの第一端末から受信する確認指示受信部をさらに具備し、ＵＩ情報送信部は、確認指示が有する第二ユーザ識別子に対応するＵＩカスタマイズ情報を用いて構成されるユーザインターフェイスを構成するＵＩ情報を、第一端末に送信する会計情報処理装置である。
【００１８】
かかる構成により、顧問先が顧問先のユーザインターフェイスを知ることができる。
【００１９】
また、本第八の発明の会計情報処理装置は、第一から第七いずれかの発明に対して、ＵＩカスタマイズ情報受信部が受信するＵＩカスタマイズ情報は、ＵＩ情報を識別する２以上のＵＩ情報識別子のうちの一のＵＩ情報識別子であり、ＵＩ情報送信部は、アクセス指示が有する第二ユーザ識別子に対応するＵＩ情報識別子に対応するユーザインターフェイスを構成するＵＩ情報を、第二端末に送信する会計情報処理装置である。
【００２０】
かかる構成により、会計士が、顧問先のレベル等に合わせて、予め決められたパターンの中から、顧問先のユーザインターフェイスを容易に設定できる。
【００２１】
また、本第九の発明の会計情報処理装置は、第一から第八いずれかの発明に対して、顧問先のＵＩの設定を行う指示であり、第一ユーザを識別する第一ユーザ識別子を有するＵＩ設定指示を第一端末から受信するＵＩ設定指示受信部と、ＵＩ設定指示が有する第一ユーザ識別子と対になる１または２以上の第二ユーザ識別子に対する１以上の第二ユーザのユーザインターフェイスを設定するための画面であるＵＩ設定画面を構成するＵＩ設定画面情報を、第一端末に送信するＵＩ設定画面情報送信部とをさらに具備する会計情報処理装置である。
【００２２】
かかる構成により、会計士が、複数の顧問先のユーザインターフェイスを容易に設定できる。
【発明の効果】
【００２３】
本発明による会計情報処理装置によれば、会計士が、顧問先のレベル等に応じて、顧問先が利用するユーザインターフェイスを設定できる。
【図面の簡単な説明】
【００２４】
【図１】実施の形態１における会計システムの概念図を示す図
【図２】同会計システムのブロック図
【図３】同会計情報処理装置１のブロック図
【図４】同会計情報処理装置１の動作について説明するフローチャート
【図５】同会計情報処理装置１の動作について説明するフローチャート
【図６】同第一端末２の動作について説明するフローチャート
【図７】同第二端末３の動作について説明するフローチャート
【図８】同ユーザ情報管理表を示す図
【図９】同ユーザ管理情報管理表を示す図
【図１０】同メニュー情報管理表を示す図
【図１１】同ＵＩパターン管理表を示す図
【図１２】同会計伝票管理表を示す図
【図１３】同顧問先登録画面を示す図
【図１４】同ユーザ別ＵＩカスタマイズ情報管理表を示す図
【図１５】同初級者向けの画面を示す図
【図１６】同中級者向けの画面を示す図
【図１７】同上級者向けの画面を示す図
【図１８】同ＵＩカスタマイズ画面を示す図
【図１９】同ＵＩ設定画面を示す図
【図２０】同ＵＩ設定画面を示す図
【図２１】同コンピュータシステムの概観図
【図２２】同コンピュータシステムのブロック図
【発明を実施するための形態】
【００２５】
以下、会計情報処理装置等の実施形態について図面を参照して説明する。なお、実施の形態において同じ符号を付した構成要素は同様の動作を行うので、再度の説明を省略する場合がある。
【００２６】
（実施の形態１）
本実施の形態において、会計士が顧問先のユーザが使用するユーザインターフェイス（以下、適宜、「ＵＩ」という。）を設定できる会計システムについて説明する。なお、このユーザインターフェイスとは、会計情報を処理するシステム、会計情報を処理するソフトウェア等のユーザインターフェイスである。また、会計士とは、会計の専門家であり、例えば、税理士、公認会計士等である。
【００２７】
また、本実施の形態において、顧問先が自身のＵＩを変更できる会計システムについて説明する。なお、ＵＩの変更とは、通常、使用できる機能の変更による画面、ボタン、メニュー等の変更である。ただし、ＵＩの変更とは、使用できる機能が同じ場合における、画面のレイアウト、ボタン、メニュー等の大きさ、色等の属性の変更等を含むと考えても良い。
【００２８】
また、本実施の形態において、ユーザが自身のＵＩを変更した場合、当該ユーザの顧問の会計士に告知される会計システムについて説明する。
【００２９】
また、本実施の形態において、会計士が、顧問先の会計の知識等のレベルに合わせて、２以上のＵＩのパターンから、一のＵＩを選択できる会計システムについて説明する。
【００３０】
さらに、本実施の形態において、会計士が、複数の顧問先のＵＩの設定が可能な会計システムについて説明する。
【００３１】
図１は、本実施の形態における会計システムの概念図である。会計システムは、会計情報処理装置１、１または２以上の第一端末２、１または２以上の第二端末３を備える。会計システムは、会計情報を処理するシステムである。
【００３２】
会計システムを構成する会計情報処理装置１は、いわゆるサーバ装置、クラウド等である。また、第一端末２は、会計士である第一ユーザが使用する端末である。第二端末３は、会計士の顧問先である第二ユーザが使用する端末である。第一端末２、第二端末３の種類は問わない。つまり、第一端末２、第二端末３は、例えば、いわゆるパーソナルコンピュータ、タブレット端末、スマートフォン、携帯端末等である。
【００３３】
図２は、本実施の形態における会計システムのブロック図である。図３は、会計システムを構成する会計情報処理装置１のブロック図である。会計情報処理装置１は、格納部１１、受信部１２、処理部１３、および送信部１４を備える。
【００３４】
会計情報処理装置１を構成する格納部１１は、ユーザ情報格納部１１１、ユーザ管理情報格納部１１２、ＵＩ情報格納部１１３、ユーザ別ＵＩカスタマイズ情報格納部１１４、および会計情報格納部１１５を備える。
【００３５】
受信部１２は、ＵＩ設定指示受信部１２１、ＵＩカスタマイズ情報受信部１２２、第二ＵＩカスタマイズ情報受信部１２３、許可情報受信部１２４、確認指示受信部１２５、アクセス指示受信部１２６、および会計情報取得指示受信部１２７を備える。
【００３６】
処理部１３は、ユーザ別ＵＩカスタマイズ情報蓄積部１３１、ＵＩ情報構成部１３２、および会計情報取得部１３３を備える。
【００３７】
送信部１４は、ＵＩ設定画面情報送信部１４１、ＵＩ変更情報送信部１４２、ＵＩ情報送信部１４３、および会計情報送信部１４４を備える。
【００３８】
第一端末２は、第一受付部２１、第一処理部２２、第一送信部２３、第一受信部２４、および第一出力部２５を備える。
【００３９】
第二端末３は、第二受付部３１、第二処理部３２、第二送信部３３、第二受信部３４、および第二出力部３５を備える。
【００４０】
会計情報処理装置１を構成する格納部１１は、種々の情報を格納し得る。ここで、情報とは、例えば、後述するユーザ情報、ユーザ管理情報、ＵＩ情報、ユーザ別ＵＩカスタマイズ情報、会計情報等である。
【００４１】
ユーザ情報格納部１１１は、１または２以上のユーザ情報を格納し得る。ユーザ情報はユーザに関する情報である。ユーザとは、ここでは、会計士である第一ユーザ、または会計士の顧問先である第二ユーザである。ユーザ情報は、例えば、ユーザを識別するユーザ識別子、ユーザの氏名、企業名、電話番号、ＦＡＸ番号、メールアドレス、住所等である。ユーザ情報は、例えば、第一ユーザか第二ユーザかを示すユーザの種別を有しても良い。また、ユーザ識別子は、ユーザを識別できれば何でも良く、例えば、ＩＤ、氏名、企業名等である。
【００４２】
ユーザ管理情報格納部１１２は、１以上のユーザ管理情報を格納し得る。ユーザ管理情報とは、会計士と顧問先との関係を管理する情報である。ユーザ管理情報は、第一ユーザ識別子と１以上の第二ユーザ識別子とを有する。第一ユーザ識別子とは、会計士である第一ユーザを識別する情報であり、例えば、ＩＤ、氏名、税理士事務所名、会計士事務所名等である。第二ユーザ識別子は、会計士の顧問先を識別する情報である。第二ユーザ識別子は、第二ユーザを識別する情報であり、例えば、ＩＤ、企業名、氏名等である。
【００４３】
ＵＩ情報格納部１１３は、ＵＩ情報を格納し得る。ＵＩ情報は、顧問先が使用するユーザインターフェイスの情報である。ＵＩ情報格納部１１３は、会計士が使用するユーザインターフェイスのＵＩ情報をも格納していても良い。ＵＩ情報格納部１１３が格納しているＵＩ情報は、例えば、フルセットのユーザインターフェイスの情報である。フルセットのユーザインターフェイスの情報とは、例えば、上級者向けのユーザインターフェイスの情報である。ＵＩ情報は、第一端末２または第二端末３で出力される画面を構成するための情報であれば、何でも良い。ＵＩ情報は、通常、画面を構成する画面情報、画面を構成するプログラム等である。ＵＩ情報は、ユーザインターフェイスを構成する部品であるＵＩ部品の情報を含んでも良い。ＵＩ部品とは、例えば、画面、メニュー、ボタン、フィールド等である。画面情報は、ＨＴＭＬ、ＸＭＬ、４ＧＬ等、その記載言語等は問わない。画面情報は、例えば、会計情報入力画面の画面情報でも良いし、会計情報（伝票データでも良い）の一覧表の画面の画面情報等でも良い。
【００４４】
ユーザ別ＵＩカスタマイズ情報格納部１１４は、１以上のユーザ別ＵＩカスタマイズ情報を格納し得る。ユーザ別ＵＩカスタマイズ情報とは、各第二ユーザが使用するユーザインターフェイスを決定するための情報であり、第二ユーザごとの情報である。ユーザ別ＵＩカスタマイズ情報は、第二ユーザ識別子とＵＩカスタマイズ情報との組である。ＵＩカスタマイズ情報は、第二ユーザ識別子で識別される第二ユーザが使用するユーザインターフェイスに関する情報である。ＵＩカスタマイズ情報は、第二ユーザが使用するユーザインターフェイスを決定する情報であれば何でも良い。ＵＩカスタマイズ情報は、メニュー識別子の集合でも良いし、ボタン識別子の集合でも良いし、画面識別子の集合でも良いし、画面情報の集合でも良いし、後述するＵＩ情報識別子等でも良い。ＵＩカスタマイズ情報は、第二ユーザが使用するユーザインターフェイスの全体を規定する情報でも良いし、標準のユーザインターフェイスと比較して、異なる箇所を特定する情報でも良い。
【００４５】
ＵＩカスタマイズ情報は、例えば、第二ユーザが使用するユーザが使用できるＵＩ部品を識別するＵＩ部品識別子の集合でも良い。また、ＵＩカスタマイズ情報は、例えば、ＵＩ情報を識別する２以上のＵＩ情報識別子のうちの一のＵＩ情報識別子で あっても良い。２以上のＵＩ情報識別子は、例えば、初級者向けメニューセットと中級者向けメニューセットと上級者向けメニューセットである。また、２以上のＵＩ情報識別子は、例えば、初級者向けメニューセットと上級者向けメニューセットである。
【００４６】
また、ユーザ別ＵＩカスタマイズ情報は、会計士に対応するＵＩカスタマイズ情報でも良い。なお、会計士に対応するＵＩカスタマイズ情報は、会計士が使用するユーザインターフェイスを構成するための情報である。
【００４７】
会計情報格納部１１５は、各第二ユーザ識別子に対応付けて、１または２以上の会計情報を格納し得る。会計情報格納部１１５は、例えば、各第二ユーザ識別子に対応する会計情報管理表を格納し得る。会計情報管理表は、１以上の会計情報を管理する表である。ここで、会計情報とは、会計に関する情報であり、例えば、伝票データを含み得る。伝票データは、通常、金額と取り引きの日付とを有する。なお、金額とは取り引きの金額である。伝票データは、例えば、日付、摘要、科目、税区分、入金、出金等の情報を有する。日付は、取り引きの日付である。また、摘要は、例えば、仕訳の説明である。入金は入金された金額、出金は出金された金額である。また、伝票データは、例えば、借方勘定科目、貸方勘定科目、借方税区分、貸方税区分等の情報を有しても良い。
【００４８】
受信部１２は、指示や情報等を受信する。指示や情報等とは、例えば、後述するＵＩ設定指示、ＵＩカスタマイズ情報、許可情報、確認指示、アクセス指示、会計情報取得指示、会計情報等である。
【００４９】
受信部１２を構成するＵＩ設定指示受信部１２１は、ＵＩ設定指示を第一端末２から受信する。ＵＩ設定指示とは、顧問先（第二ユーザ）のＵＩの設定を行う指示である。ＵＩ設定指示は、通常、２以上の顧問先（第二ユーザ）のＵＩの設定を行う指示である。ＵＩ設定指示は、第一ユーザ（会計士）を識別する第一ユーザ識別子を有する。なお、ＵＩ設定指示は、一の顧問先（第二ユーザ）のＵＩの設定を行う指示であっても良い。
【００５０】
ＵＩカスタマイズ情報受信部１２２は、顧問先の第二ユーザが使用するユーザインターフェイスを特定するための情報であるＵＩカスタマイズ情報を受信する。
【００５１】
ＵＩカスタマイズ情報受信部１２２は、通常、第二ユーザ識別子とＵＩカスタマイズ情報とを、第二ユーザの顧問の会計士である第一ユーザの第一端末２から受信する。ここで受信するＵＩカスタマイズ情報は、第二ユーザが使用するユーザインターフェイスに関する情報である。
【００５２】
なお、ＵＩカスタマイズ情報受信部１２２が受信したＵＩカスタマイズ情報は、ユーザ別ＵＩカスタマイズ情報格納部１１４に蓄積されても良い。また、ＵＩカスタマイズ情報受信部１２２がＵＩカスタマイズ情報を受信した後、直ちに、ＵＩ情報構成部１３２は、当該ＵＩカスタマイズ情報を用いて、受信された第二ユーザ識別子で識別される第二ユーザ用のＵＩ情報を構築し、当該ＵＩ情報が図示しないバッファに蓄積されても良い。また、ＵＩカスタマイズ情報受信部１２２がＵＩカスタマイズ情報を受信した後、当該ＵＩカスタマイズ情報から、ＵＩを特定する情報が取得され、当該ＵＩを特定する情報が、ユーザ別ＵＩカスタマイズ情報格納部１１４に蓄積されても良い。
【００５３】
なお、ＵＩカスタマイズ情報受信部１２２は、通常、ＵＩカスタマイズ情報を送信する会計士（第一ユーザ）の顧問先以外の第二ユーザの第二ユーザ識別子を受信しない。また、ＵＩカスタマイズ情報受信部１２２が、仮に、会計士（第一ユーザ）の顧問先以外の第二ユーザの第二ユーザ識別子とＵＩカスタマイズ情報とを受信した場合、エラーとなる。
【００５４】
ここで、ＵＩカスタマイズ情報は、例えば、メニュー識別子の集合でも良いし、ボタン識別子の集合でも良いし、画面識別子の集合でも良いし、画面情報の集合でも良いし、後述するＵＩ情報識別子等でも良い。
【００５５】
第二ＵＩカスタマイズ情報受信部１２３は、第二ユーザ識別子とＵＩカスタマイズ情報とを、第二ユーザの第二端末３から受信する。第二ＵＩカスタマイズ情報受信部１２３は、顧問先である第二ユーザの意思に基づく、ＵＩカスタマイズ情報を受信する。
【００５６】
許可情報受信部１２４は、第二ユーザが自身の使用するユーザインターフェイスの変更を許可する旨の情報である許可情報を第一端末２から受信する。許可情報は、例えば、第二ユーザ識別子を有する。この第二ユーザ識別子は、ＵＩの変更を許可する対象の第二ユーザを識別する情報である。
【００５７】
なお、許可情報受信部１２４が許可情報を受信するタイミングは問わない。第二ＵＩカスタマイズ情報受信部１２３が第二ユーザ識別子とＵＩカスタマイズ情報とを受信した後、許可情報受信部１２４が許可情報または不許可情報を受信しても良い。また、不許可情報とは、ユーザインターフェイスの変更を許可しない旨の情報である。
【００５８】
確認指示受信部１２５は、確認指示を第一ユーザの第一端末２から受信する。確認指示とは、顧問先のユーザインターフェイスを確認する指示である。確認指示は、ユーザインターフェイスを確認する対象の第二ユーザを識別する第二ユーザ識別子を有する。確認指示受信部１２５は、確認指示が有する第二ユーザ識別子と対になる第一ユーザ識別子で識別される第一ユーザの第一端末２から確認指示を受信する。
【００５９】
アクセス指示受信部１２６は、第二ユーザ識別子を有するアクセス指示を、第二ユーザ識別子で識別される第二ユーザの第二端末３から受信する。アクセス指示とは、会計情報処理装置１へのアクセス指示である。アクセス指示によって、会計情報処理装置１へアクセスされた後に実行される処理等は問わない。アクセス指示は、第二端末３から会計情報処理装置１へのアクセスに関する指示や情報であり、広く解する。通常、アクセス指示の受信に応じて、第二ユーザの第二端末３に、当該第二ユーザが利用するＵＩのＵＩ情報が送信される。
【００６０】
会計情報取得指示受信部１２７は、第二ユーザ識別子を有する会計情報取得指示を、当該第二ユーザ識別子で識別される第二ユーザの第二端末３から受信する。会計情報取得指示は、会計情報を取得するための指示である。
【００６１】
処理部１３は、各種の処理を行う。各種の処理は、例えば、ユーザ別に、ＵＩカスタマイズ情報を蓄積する処理、ＵＩ情報を構成する処理、会計情報を取得する処理等である。
【００６２】
ユーザ別ＵＩカスタマイズ情報蓄積部１３１は、ＵＩカスタマイズ情報受信部１２２が受信した第二ユーザ識別子に対応付けて、ＵＩカスタマイズ情報受信部１２２が受信したＵＩカスタマイズ情報をユーザ別ＵＩカスタマイズ情報格納部１１４に蓄積する。また、ユーザ別ＵＩカスタマイズ情報蓄積部１３１は、ＵＩカスタマイズ情報受信部１２２が受信した第二ユーザ識別子とＵＩカスタマイズ情報とを有するユーザ別ＵＩカスタマイズ情報をユーザ別ＵＩカスタマイズ情報格納部１１４に蓄積しても良い。
【００６３】
また、ユーザ別ＵＩカスタマイズ情報蓄積部１３１が蓄積するＵＩカスタマイズ情報は、ＵＩカスタマイズ情報受信部１２２が受信したＵＩカスタマイズ情報と同じ情報でなくても良い。ユーザ別ＵＩカスタマイズ情報蓄積部１３１が蓄積するＵＩカスタマイズ情報は、ＵＩカスタマイズ情報受信部１２２が受信したＵＩカスタマイズ情報から取得される情報であり、ＵＩを特定する情報であっても良い。
【００６４】
ＵＩ情報構成部１３２は、アクセス指示が有する第二ユーザ識別子に対応するＵＩカスタマイズ情報をユーザ別ＵＩカスタマイズ情報格納部１１４から取得し、ＵＩカスタマイズ情報を用いてＵＩ情報を構成する。なお、ＵＩカスタマイズ情報がＵＩ情報と同じでも良い。かかる場合、ＵＩ情報構成部１３２は、アクセス指示が有する第二ユーザ識別子に対応するＵＩ情報をユーザ別ＵＩカスタマイズ情報格納部１１４から取得する。なお、ここでの取得を構成と言っても良い。
【００６５】
ＵＩ情報構成部１３２は、例えば、ＵＩカスタマイズ情報が有する１以上の各メニュー識別子に対応するボタンを有する画面の画面情報を構成し、当該画面情報を有するＵＩ情報を取得する。
【００６６】
ＵＩ情報構成部１３２がＵＩ情報を構成するタイミングは問わない。ＵＩ情報構成部１３２は、ＵＩカスタマイズ情報が受信された後、直ちにＵＩ情報を構成しても良い。また、ＵＩ情報構成部１３２は、アクセス指示が受信された際に、ＵＩ情報を構成しても良い。
【００６７】
会計情報取得部１３３は、会計情報取得指示が有する第二ユーザ識別子に対応付けられた１以上の会計情報を会計情報格納部１１５から取得する。
【００６８】
送信部１４は、各種の情報を、第一端末２または第二端末３に送信する。各種の情報とは、例えば、ＵＩ設定画面情報、ＵＩ変更情報、ＵＩ情報、会計情報等である。ＵＩ情報とは、第一端末２または第二端末３で出力されるＵＩを構成する情報である。
【００６９】
ＵＩ設定画面情報送信部１４１は、ＵＩ設定画面情報を第一端末２に送信する。ＵＩ設定画面情報とは、ＵＩ設定画面を構成する情報である。このＵＩ設定画面は、ＵＩ設定指示が有する第一ユーザ識別子と対になる１または２以上の第二ユーザ識別子に対する１以上の第二ユーザのユーザインターフェイスを設定するための画面である。ＵＩ設定画面は、通常、顧問先のリストを含む。
【００７０】
ＵＩ変更情報送信部１４２は、ＵＩ変更情報を第一端末２に送信する。ＵＩ変更情報とは、顧問先である第二ユーザがＵＩを変更したこと、または変更する意思を示したことを示す情報である。ＵＩ変更情報とは、「顧問先ＸＸがユーザインターフェイスを変更されました。」等の情報、変更されたＵＩ情報、変更されたＵＩ情報が示すＵＩにアクセスするための情報（例えば、ＵＲＬ等）等である。
【００７１】
第二ＵＩカスタマイズ情報受信部１２３が第二ユーザ識別子とＵＩカスタマイズ情報とを受信した場合、ＵＩ変更情報送信部１４２は、ＵＩ変更情報を、当該第二ユーザ識別子と対になる第一ユーザ識別子で識別される第一端末２に送信する。
【００７２】
第二ＵＩカスタマイズ情報受信部１２３が第二ユーザ識別子とＵＩカスタマイズ情報とを受信した場合、ＵＩ変更情報送信部１４２は、自動的にＵＩ変更情報を第一端末２に送信しても良い。つまり、ＵＩ変更情報送信部１４２は、いわゆるプッシュ型でＵＩ変更情報を第一端末２に送信しても良い。また、ＵＩ変更情報送信部１４２は、第一端末２から会計情報処理装置１にアクセスがあった場合（ログインされた場合等でも良い）、ＵＩ変更情報を第一端末２に送信しても良い。つまり、ＵＩ変更情報送信部１４２は、プル型でＵＩ変更情報を第一端末２に送信しても良い。
【００７３】
ＵＩ情報送信部１４３は、アクセス指示が有する第二ユーザ識別子に対応するＵＩカスタマイズ情報を用いて構成されるユーザインターフェイスを構成するＵＩ情報を、第二端末３に送信する。なお、第二端末３では、送信されたＵＩ情報を用いて、画面（ユーザインターフェイス）が出力される。また、送信されるＵＩ情報は、送信の際にＵＩカスタマイズ情報から構成されても良い。また、ＵＩカスタマイズ情報が受信された際に、ＵＩ情報が構成され、図示しないバッファまたはユーザ別ＵＩカスタマイズ情報格納部１１４に蓄積されており、ＵＩ情報送信部１４３は、当該ＵＩ情報をバッファから読み出して、送信しても良い。
【００７４】
ＵＩ情報送信部１４３は、ＵＩ情報構成部１３２が構成したＵＩ情報を第二端末３に送信する。
【００７５】
ＵＩ情報送信部１４３は、アクセス指示が有する第二ユーザ識別子に対応するＵＩカスタマイズ情報であり、第二ＵＩカスタマイズ情報受信部１２３が受信したＵＩカスタマイズ情報を用いて構成されるユーザインターフェイスを構成するＵＩ情報を、第二端末３に送信しても良い。
【００７６】
ＵＩ情報送信部１４３は、アクセス指示が有する第二ユーザ識別子に対応するＵＩ情報識別子に対応するユーザインターフェイスを構成するＵＩ情報を、第二端末３に送信しても良い。
【００７７】
ＵＩ情報送信部１４３は、確認指示が有する第二ユーザ識別子に対応するＵＩカスタマイズ情報を用いて構成されるユーザインターフェイスを構成するＵＩ情報を、第一端末２に送信する。なお、通常、第一端末２では、送信されたＵＩ情報を用いて、画面（ユーザインターフェイス）が出力される。
【００７８】
会計情報送信部１４４は、１以上の会計情報を第二端末３に送信する。会計情報送信部１４４は、会計情報取得部１３３が取得した１以上の会計情報を第二端末３に送信する。会計情報送信部１４４は、会計情報取得指示を送信してきた第一端末２または第二端末３に、１以上の会計情報を送信する。
【００７９】
第一端末２を構成する第一受付部２１は、第一ユーザから指示や情報等を受け付ける。指示や情報等とは、例えば、上述したＵＩ設定指示、ＵＩカスタマイズ情報、許可情報、不許可情報、確認指示、会計情報等である。ここで、指示や情報等の入力手段は、キーボードやマウスやタッチパネルやメニュー画面によるもの等、何でも良い。
【００８０】
第一処理部２２は、各種の処理を行う。第一処理部２２は、例えば、第一受付部２１が受け付けた指示や情報等に、第一端末２を識別する第一ユーザ識別子を付与し、送信する指示や情報等を構成する処理である。なお、第一ユーザ識別子は、図示しない記録媒体に格納されている、とする。
【００８１】
第一処理部２２は、例えば、受信されたＵＩ設定画面情報からＵＩ設定画面を構成する。また、第一処理部２２は、例えば、受信されたＵＩ変更情報を出力する情報に構成する。また、第一処理部２２は、例えば、受信されたＵＩ情報から出力するＵＩを構成する。また、第一処理部２２は、例えば、受信された１以上の会計情報から、出力する会計情報のテーブルを構成する。
【００８２】
第一送信部２３は、例えば、第一受付部２１が受け付けた指示や情報等を会計情報処理装置１に送信する。また、第一送信部２３は、例えば、第一処理部２２が構成した指示や情報等を会計情報処理装置１に送信する。
【００８３】
第一受信部２４は、会計情報処理装置１から情報等を受信する。情報等とは、例えば、ＵＩ設定画面情報、ＵＩ情報、会計情報等である。
【００８４】
第一出力部２５は、第一受信部２４が受信した情報等を出力する。第一出力部２５は、第一処理部２２が構成したＵＩ、または会計情報のテーブル等を出力しても良い。
【００８５】
ここで、出力とは、ディスプレイへの表示、プロジェクターを用いた投影、プリンタでの印字、音出力、外部の装置への送信、記録媒体への蓄積、他の処理装置や他のプログラムなどへの処理結果の引渡しなどを含む概念である。
【００８６】
第二端末３を構成する第二受付部３１は、第二ユーザから指示や情報等を受け付ける。指示や情報等は、例えば、上述したＵＩ設定指示、ＵＩカスタマイズ情報、会計情報等である。
【００８７】
指示や情報等の入力手段は、キーボードやマウスやタッチパネルやメニュー画面によるもの等、何でも良い。
【００８８】
第二処理部３２は、各種の処理を行う。第二処理部３２は、例えば、第二受付部３１が受け付けた指示に情報等に、第二端末３を識別する第二ユーザ識別子を付与し、送信する指示や情報等を構成する処理である。なお、第二ユーザ識別子は、図示しない記録媒体に蓄積されている、とする。
【００８９】
第二送信部３３は、第二受付部３１が受け付けた指示や情報を会計情報処理装置１に送信する。また、第二送信部３３は、第二処理部３２が構成した指示や情報を会計情報処理装置１に送信する。
【００９０】
第二受信部３４は、会計情報処理装置１から情報等を受信する。情報等とは、例えば、ＵＩ情報、会計情報等である。
【００９１】
第二出力部３５は、第二受信部３４が受信した情報等を出力する。第二出力部３５は、第二処理部３２が構成したＵＩ、または会計情報のテーブル等を出力しても良い。
【００９２】
格納部１１、ユーザ情報格納部１１１、ユーザ管理情報格納部１１２、ＵＩ情報格納部１１３、ユーザ別ＵＩカスタマイズ情報格納部１１４、および会計情報格納部１１５は、不揮発性の記録媒体が好適であるが、揮発性の記録媒体でも実現可能である。
【００９３】
格納部１１等に情報が記憶される過程は問わない。例えば、記録媒体を介して情報が格納部１１等で記憶されるようになってもよく、通信回線等を介して送信された情報が格納部１１等で記憶されるようになってもよく、あるいは、入力デバイスを介して入力された情報が格納部１１で記憶されるようになってもよい。
【００９４】
受信部１２、ＵＩ設定指示受信部１２１、ＵＩカスタマイズ情報受信部１２２、第二ＵＩカスタマイズ情報受信部１２３、許可情報受信部１２４、確認指示受信部１２５、アクセス指示受信部１２６、会計情報取得指示受信部１２７、第一受信部２４、および第二受信部３４は、通常、無線または有線の通信手段で実現されるが、放送を受信する手段で実現されても良い。
【００９５】
処理部１３、ユーザ別ＵＩカスタマイズ情報蓄積部１３１、ＵＩ情報構成部１３２、会計情報取得部１３３、第一処理部２２、および第二処理部３２は、通常、ＭＰＵやメモリ等から実現され得る。処理部１３等の処理手順は、通常、ソフトウェアで実現され、当該ソフトウェアはＲＯＭ等の記録媒体に記録されている。但し、ハードウェア（専用回路）で実現しても良い。
【００９６】
送信部１４、ＵＩ設定画面情報送信部１４１、ＵＩ変更情報送信部１４２、ＵＩ情報送信部１４３、会計情報送信部１４４、第一送信部２３、および第二送信部３３は、通常、無線または有線の通信手段で実現されるが、放送手段で実現されても良い。
【００９７】
第一受付部２１、および第二受付部３１は、キーボード等の入力手段のデバイスドライバーや、メニュー画面の制御ソフトウェア等で実現され得る。
【００９８】
第一出力部２５、および第二出力部３５は、ディスプレイやスピーカー等の出力デバイスを含むと考えても含まないと考えても良い。第一出力部２５は、出力デバイスのドライバーソフトまたは、出力デバイスのドライバーソフトと出力デバイス等で実現され得る。
【００９９】
次に、会計システムの動作について説明する。まず、会計情報処理装置１の動作について、図４、図５のフローチャートを用いて説明する。
【０１００】
（ステップＳ４０１）ＵＩ設定指示受信部１２１は、ＵＩ設定指示を第一端末２から受信したか否かを判断する。ＵＩ設定指示を受信すればステップＳ４０２に行き、受信しなければステップＳ４０６に行く。
【０１０１】
（ステップＳ４０２）ＵＩ情報構成部１３２は、ステップＳ４０１で受信されたＵＩ設定指示が有する第一ユーザ識別子を取得する。
【０１０２】
（ステップＳ４０３）ＵＩ情報構成部１３２は、ステップＳ４０２で取得した第一ユーザ識別子と対になる１以上の第二ユーザ識別子をユーザ管理情報格納部１１２から取得する。そして、ＵＩ情報構成部１３２は、取得した１以上の各第二ユーザ識別子に対応する１以上の第二ユーザ情報の一部または全部をユーザ情報格納部１１１から取得する。第二ユーザ情報は、第二ユーザのユーザ情報であり、例えば、顧問先の企業名等の情報を有する。
【０１０３】
（ステップＳ４０４）ＵＩ情報構成部１３２は、ステップＳ４０３で取得したユーザ情報を用いて、ＵＩ設定画面情報を構成する。
【０１０４】
（ステップＳ４０５）ＵＩ設定画面情報送信部１４１は、ステップＳ４０４で構成されたＵＩ設定画面情報を、ＵＩ設定指示を送信してきた第一端末２に送信する。ステップＳ４０１に戻る。
【０１０５】
（ステップＳ４０６）ＵＩカスタマイズ情報受信部１２２は、第一ユーザの第一端末２からＵＩカスタマイズ情報等を受信したか否かを判断する。ＵＩカスタマイズ情報等を受信すればステップＳ４０７に行き、ＵＩカスタマイズ情報等を受信しなければステップＳ４０８に行く。なお、ＵＩカスタマイズ情報等とは、ＵＩカスタマイズ情報と第二ユーザ識別子とを含む。
【０１０６】
（ステップＳ４０７）ユーザ別ＵＩカスタマイズ情報蓄積部１３１は、ステップＳ４０６で受信された第二ユーザ識別子に対応付けて、ステップＳ４０６で受信されたＵＩカスタマイズ情報をユーザ別ＵＩカスタマイズ情報格納部１１４に蓄積する。ステップＳ４０１に戻る。なお、ここで、ユーザ別ＵＩカスタマイズ情報蓄積部１３１は、ステップＳ４０６で受信されたＵＩカスタマイズ情報とは異なるＵＩカスタマイズ情報であり、ステップＳ４０６で受信されたＵＩカスタマイズ情報から取得され得るＵＩカスタマイズ情報をユーザ別ＵＩカスタマイズ情報格納部１１４に蓄積しても良い。
【０１０７】
（ステップＳ４０８）アクセス指示受信部１２６は、アクセス指示を受信したか否かを判断する。アクセス指示を受信すればステップＳ４０９に行き、アクセス指示を受信しなければステップＳ４１３に行く。なお、アクセス指示は、ユーザ識別子を有する。ユーザ識別子は、第一ユーザ識別子または第二ユーザ識別子である。
【０１０８】
（ステップＳ４０９）ＵＩ情報構成部１３２は、ステップＳ４０８で受信されたアクセス指示が有するユーザ識別子を取得する。
【０１０９】
（ステップＳ４１０）ステップＳ４０９で取得されたユーザ識別子が第二ユーザ識別子である場合は、ＵＩ情報構成部１３２は、当該第二ユーザ識別子に対応するＵＩカスタマイズ情報を、ユーザ別ＵＩカスタマイズ情報格納部１１４から取得する。また、ステップＳ４０９で取得されたユーザ識別子が第一ユーザ識別子である場合は、ＵＩ情報構成部１３２は、会計士に対応するＵＩカスタマイズ情報を取得する。なお、会計士に対応するＵＩカスタマイズ情報も、ユーザ別ＵＩカスタマイズ情報格納部１１４に格納されていても良い。
【０１１０】
（ステップＳ４１１）ＵＩ情報構成部１３２は、ステップＳ４１０で取得したＵＩカスタマイズ情報を用いて、ＵＩ情報を構成する。
【０１１１】
（ステップＳ４１２）ＵＩ情報送信部１４３は、ステップＳ４１１で構成されたＵＩ情報を、アクセス指示を送信してきた第一端末２または第二端末３に送信する。ステップＳ４０１に戻る。
【０１１２】
（ステップＳ４１３）第二ＵＩカスタマイズ情報受信部１２３は、第二ユーザの第二端末３からＵＩカスタマイズ情報を受信したか否かを判断する。ＵＩカスタマイズ情報を受信すればステップＳ４１４に行きＵＩカスタマイズ情報を受信しなければステップＳ４１５に行く。
【０１１３】
（ステップＳ４１４）送信部１４は、第二ユーザがＵＩを変更しようとしている旨を示すＵＩ変更情報を、顧問の会計士に通知する。ステップＳ４０１に戻る。なお、処理部１３は、ステップＳ４１３で受信された第二ユーザ識別子と対になる第二ユーザのユーザ情報を用いて、ＵＩ変更情報を構成する。そして、処理部１３は、ステップＳ４１３で受信された第二ユーザ識別子と対になる第一ユーザ識別子をユーザ管理情報格納部１１２から取得する。そして、処理部１３は、第一ユーザ識別子と対になる第一ユーザへの連絡先情報（例えば、メールアドレス）をユーザ情報格納部１１１から取得する。次に、送信部１４は、第一ユーザへの連絡先情報が示す通知先に、構成されたＵＩ変更情報を送信する。
【０１１４】
（ステップＳ４１５）許可情報受信部１２４は、許可情報等を受信したか否かを判断する。許可情報等を受信すればステップＳ４１６に行き、受信しなければステップＳ４１７に行く。なお、許可情報等とは、例えば、許可情報と、対応するＵＩカスタマイズ情報を識別する情報である。また、許可情報等とは、例えば、許可情報と第二ユーザ識別子である。
【０１１５】
（ステップＳ４１６）ユーザ別ＵＩカスタマイズ情報蓄積部１３１は、ステップＳ４１５で受信された許可情報に対応するＵＩカスタマイズ情報を、許可情報に対応する第二ユーザ識別子に対応付けて、ユーザ別ＵＩカスタマイズ情報格納部１１４に蓄積する。ステップＳ４０１に戻る。なお、許可情報受信部１２４が不許可情報を受信した場合、不許可情報に対応するＵＩカスタマイズ情報は蓄積されない。
【０１１６】
（ステップＳ４１７）確認指示受信部１２５は、確認指示を受信したか否かを判断する。確認指示を受信した場合はステップＳ４１８に行き、確認指示を受信しない場合はステップＳ４２１に行く。
【０１１７】
（ステップＳ４１８）ＵＩ情報構成部１３２は、ステップＳ４１７で受信された確認指示が有する第二ユーザ識別子を取得する。そして、ＵＩ情報構成部１３２は、第二ユーザ識別子に対応するＵＩカスタマイズ情報をユーザ別ＵＩカスタマイズ情報格納部１１４から取得する。
【０１１８】
（ステップＳ４１９）ＵＩ情報構成部１３２は、ステップＳ４１８で取得したＵＩカスタマイズ情報を用いて、ＵＩ情報を構成する。
【０１１９】
（ステップＳ４２０）ＵＩ情報送信部１４３は、ステップＳ４１９で構成されたＵＩ情報を、確認指示を送信してきた第一端末２に送信する。ステップＳ４０１に戻る。
【０１２０】
（ステップＳ４２１）受信部１２は、１以上の会計情報等を第一端末２または第二端末３から受信したか否かを判断する。１以上の会計情報等を受信すればステップＳ４２２に行き、１以上の会計情報等を受信しなければステップＳ４２３に行く。なお、１以上の会計情報等とは、例えば、１以上の会計情報と第二ユーザ識別子である。また、１以上の会計情報等とは、例えば、１以上の会計情報と、当該会計情報が蓄積される表識別子である。表識別子とは、表を識別する情報である。
【０１２１】
（ステップＳ４２２）処理部１３は、ステップＳ４２１で受信された１以上の会計情報を、会計情報格納部１１５に蓄積する。ステップＳ４０１に戻る。なお、処理部１３は、例えば、第二ユーザ識別子と対応付けて、１以上の会計情報を蓄積する。
【０１２２】
（ステップＳ４２３）会計情報取得指示受信部１２７は、会計情報取得指示を受信したか否かを判断する。会計情報取得指示を受信した場合はステップＳ４２４に行き、会計情報取得指示を受信しない場合はステップＳ４０１に戻る。なお、会計情報取得指示は、通常、第二端末３が送信するが、第一端末２が送信しても良い。
【０１２３】
（ステップＳ４２４）会計情報取得部１３３は、会計情報取得指示に対応する１以上の会計情報を、会計情報格納部１１５から取得する。なお、会計情報取得部１３３は、例えば、会計情報取得指示が有する第二ユーザ識別子を取得する。そして、会計情報取得部１３３は、例えば、当該第二ユーザ識別子と対になる１以上の会計情報を、会計情報格納部１１５から取得する。
【０１２４】
（ステップＳ４２５）会計情報送信部１４４は、ステップＳ４２４で取得された１以上の会計情報を、会計情報取得指示を送信してきた第一端末２または第二端末３に送信する。ステップＳ４０１に戻る。
【０１２５】
なお、図４、図５のフローチャートにおいて、ＵＩカスタマイズ情報受信部１２２または第二ＵＩカスタマイズ情報受信部１２３がＵＩカスタマイズ情報を受信した場合、ＵＩ情報構成部１３２は、当該ＵＩカスタマイズ情報を用いて、直ちにＵＩ情報を構成しても良い。そして、処理部１３は、当該ＵＩ情報を、第二ユーザ識別子に対応付けて、図示しないバッファまたはユーザ別ＵＩカスタマイズ情報格納部１１４またはＵＩ情報格納部１１３等に蓄積しても良い。そして、アクセス指示受信部１２６がアクセス指示を受信した場合、ＵＩ情報構成部１３２は、アクセス指示に含まれる第二ユーザ識別子と対になるＵＩ情報を図示しないバッファ等から取得しても良い。そして、ＵＩ情報送信部１４３は、かかるＵＩ情報を、アクセス指示を送信してきた第二端末３に送信しても良い。
【０１２６】
また、図４、図５のフローチャートにおいて、電源オフや処理終了の割り込みにより処理は終了する。
【０１２７】
次に、第一端末２の動作について、図６のフローチャートを用いて説明する。
【０１２８】
（ステップＳ６０１）第一受付部２１は、ＵＩ設定指示を受け付けたか否かを判断する。ＵＩ設定指示を受け付ければステップＳ６０２に行き、ＵＩ設定指示を受け付けなければステップＳ６０５に行く。
【０１２９】
（ステップＳ６０２）第一処理部２２は、送信するＵＩ設定指示を構成する。そして、第一送信部２３は、構成されたＵＩ設定指示を会計情報処理装置１に送信する。なお、具体的には、例えば、第一処理部２２は図示しないバッファに格納されている第一ユーザ識別子を付加したＵＩ設定指示を構成し、第一送信部２３は当該ＵＩ設定指示を会計情報処理装置１に送信する。
【０１３０】
（ステップＳ６０３）第一受信部２４は、ＵＩ設定指示の送信に応じて、会計情報処理装置１からＵＩ設定画面情報を受信したか否かを判断する。ＵＩ設定画面情報を受信すればステップＳ６０４に行き、ＵＩ設定画面情報を受信しなければステップＳ６０３に戻る。
【０１３１】
（ステップＳ６０４）第一処理部２２は、ステップＳ６０３で受信されたＵＩ設定画面情報からＵＩ設定画面を構成する。そして、第一出力部２５は、構成されたＵＩ設定画面を出力する。ステップＳ６０１に戻る。
【０１３２】
（ステップＳ６０５）第一受付部２１は、ＵＩカスタマイズ情報等を受け付けたか否かを判断する。ＵＩカスタマイズ情報等を受け付ければステップＳ６０６に行き、ＵＩカスタマイズ情報等を受け付けなければステップＳ６０７に行く。なお、ＵＩカスタマイズ情報等とは、通常、ＵＩカスタマイズ情報と第二ユーザ識別子を有する。また、受け付けられるＵＩカスタマイズ情報等は、２以上の第二ユーザに対する２以上のＵＩカスタマイズ情報と第二ユーザ識別子の組等でも良い。
【０１３３】
（ステップＳ６０６）第一処理部２２は、送信するＵＩカスタマイズ情報等を構成する。そして、第一送信部２３は構成されたＵＩカスタマイズ情報等を会計情報処理装置１に送信する。ステップＳ６０１に戻る。なお、具体的には、例えば、第一処理部２２は図示しないバッファに格納されている第一ユーザ識別子を付加したＵＩカスタマイズ情報等を構成し、第一送信部２３は当該ＵＩカスタマイズ情報等を会計情報処理装置１に送信する。
【０１３４】
（ステップＳ６０７）第一受信部２４は、ＵＩ変更情報を受信したか否かを判断する。ＵＩ変更情報を受信すればステップＳ６０８に行き、ＵＩ変更情報を受信しなけなければステップＳ６１１に行く。
【０１３５】
（ステップＳ６０８）第一出力部２５は、ステップＳ６０７で受信されたＵＩ変更情報を出力する。
【０１３６】
（ステップＳ６０９）第一受付部２１は、ステップＳ６０８におけるＵＩ変更情報の出力に対して、第一ユーザから許可情報または不許可情報を受け付けたか否かを判断する。許可情報等を受け付ければステップＳ６１０に行き、許可情報等を受け付けなければステップＳ６０９に戻る。
【０１３７】
（ステップＳ６１０）第一処理部２２は、送信する許可情報等を構成する。そして、第一送信部２３は、構成された許可情報等を会計情報処理装置１に送信する。ステップＳ６０１に戻る。なお、許可情報等は、許可情報または不許可情報を有する。また、具体的には、例えば、第一処理部２２は図示しないバッファに格納されている第一ユーザ識別子を付加した許可情報等を構成し、第一送信部２３は当該許可情報等を会計情報処理装置１に送信する。
【０１３８】
（ステップＳ６１１）第一受付部２１は、確認指示を受け付けたか否かを判断する。確認指示を受け付ければステップＳ６１２に行き、確認指示を受け付けなければステップＳ６１５に行く。
【０１３９】
（ステップＳ６１２）第一処理部２２は、送信する確認指示を構成する。そして、第一送信部２３は、構成された確認指示を会計情報処理装置１に送信する。なお、具体的には、例えば、第一処理部２２は図示しないバッファに格納されている第一ユーザ識別子を付加した確認指示を構成し、第一送信部２３は当該確認指示を会計情報処理装置１に送信する。
【０１４０】
（ステップＳ６１３）第一受信部２４は、会計情報処理装置１からＵＩ情報を受信したか否かを判断する。ＵＩ情報を受信すればステップＳ６１４に行き、ＵＩ情報を受信しなければステップＳ６１３に戻る。
【０１４１】
（ステップＳ６１４）第一処理部２２は、ステップＳ６１３で受信されたＵＩ情報から出力するＵＩを構成する。第一出力部２５は、構成されたＵＩを出力する。ステップＳ６０１に戻る。
【０１４２】
（ステップＳ６１５）第一受付部２１は、アクセス指示を受け付けたか否かを判断する。アクセス指示を受け付ければステップＳ６１６に行き、アクセス指示を受け付けなければステップＳ６１７に行く。
【０１４３】
（ステップＳ６１６）第一処理部２２は、送信するアクセス指示を構成する。そして、第一送信部２３は構成されたアクセス指示を会計情報処理装置１に送信する。ステップＳ６１３に戻る。なお、具体的には、例えば、第一処理部２２は図示しないバッファに格納されている第一ユーザ識別子を付加したアクセス指示を構成し、第一送信部２３は当該アクセス指示を会計情報処理装置１に送信する。
【０１４４】
（ステップＳ６１７）第一受付部２１は、１以上の会計情報を受け付けたか否かを判断する。１以上の会計情報を受け付ければステップＳ６１８に行き、１以上の会計情報を受け付けなければステップＳ６１９に行く。
【０１４５】
（ステップＳ６１８）第一処理部２２は、送信する１以上の会計情報を構成する。そして、第一送信部２３は、当該１以上の会計情報を会計情報処理装置１に送信する。ステップＳ６０１に戻る。なお、具体的には、例えば、第一処理部２２は図示しないバッファに格納されている第一ユーザ識別子を付加した１以上の会計情報を構成し、第一送信部２３は当該１以上の会計情報を会計情報処理装置１に送信する。また、送信する１以上の会計情報には、例えば、第二ユーザ識別子、または会計情報を蓄積する表の表識別子が付加されている。
【０１４６】
（ステップＳ６１９）第一受付部２１は、会計情報取得指示を受け付けたか否かを判断する。会計情報取得指示を受け付ければステップＳ６２０に行き、会計情報取得指示を受け付けなければステップＳ６０１に戻る。
【０１４７】
（ステップＳ６２０）第一処理部２２は、送信する会計情報取得指示を構成する。そして、第一送信部２３は、当該会計情報取得指示を会計情報処理装置１に送信する。なお、具体的には、例えば、第一処理部２２は図示しないバッファに格納されている第一ユーザ識別子を付加した会計情報取得指示を構成し、第一送信部２３は当該会計情報取得指示を会計情報処理装置１に送信する。
【０１４８】
（ステップＳ６２１）第一受信部２４は、会計情報取得指示の送信に応じて、１以上の会計情報を受信したか否かを判断する。１以上の会計情報を受信すればステップＳ６２２に行き、１以上の会計情報を受信しなければステップＳ６２１に戻る。
【０１４９】
（ステップＳ６２２）第一出力部２５は、ステップＳ６２１で受信された１以上の会計情報を出力する。ステップＳ６０１に戻る。
【０１５０】
また、図６のフローチャートにおいて、電源オフや処理終了の割り込みにより処理は終了する。
【０１５１】
次に、第二端末３の動作について、図７のフローチャートを用いて説明する。
【０１５２】
（ステップＳ７０１）第二受付部３１は、アクセス指示を受け付けたか否かを判断する。アクセス指示を受け付ければステップＳ７０２に行き、アクセス指示を受け付けなければステップＳ７０５に行く。
【０１５３】
（ステップＳ７０２）第二処理部３２は、送信するアクセス指示を構成する。そして、第二送信部３３は構成されたアクセス指示を会計情報処理装置１に送信する。ステップＳ６１３に戻る。なお、具体的には、例えば、第二処理部３２は図示しないバッファに格納されている第二ユーザ識別子を付加したアクセス指示を構成し、第二送信部３３は当該アクセス指示を会計情報処理装置１に送信する。
【０１５４】
（ステップＳ７０３）第二受信部３４は、アクセス指示の送信に応じて、会計情報処理装置１からＵＩ情報を受信したか否かを判断する。ＵＩ情報を受信すればステップＳ７０４に行き、ＵＩ情報を受信しなければステップＳ７０３に戻る。
【０１５５】
（ステップＳ７０４）第二処理部３２は、ステップＳ７０３で受信されたＵＩ情報から出力するＵＩを構成する。第二出力部３５は、構成されたＵＩを出力する。ステップＳ７０１に戻る。
【０１５６】
（ステップＳ７０５）第二受付部３１は、ＵＩカスタマイズ情報を受け付けたか否かを判断する。ＵＩカスタマイズ情報を受け付ければステップＳ７０６に行き、ＵＩカスタマイズ情報を受け付けなければステップＳ７０７に行く。
【０１５７】
（ステップＳ７０６）第二処理部３２は、送信するＵＩカスタマイズ情報等を構成する。そして、第二送信部３３は構成されたＵＩカスタマイズ情報等を会計情報処理装置１に送信する。ステップＳ７０１に戻る。なお、具体的には、例えば、第二処理部３２は図示しないバッファに格納されている第二ユーザ識別子を、受け付けられたＵＩカスタマイズ情報に付加し、送信するＵＩカスタマイズ情報等を構成し、第二送信部３３は当該ＵＩカスタマイズ情報等を会計情報処理装置１に送信する。
【０１５８】
（ステップＳ７０７）第二受付部３１は、１以上の会計情報を受け付けたか否かを判断する。１以上の会計情報を受け付ければステップＳ７０８に行き、１以上の会計情報を受け付けなければステップＳ７０９に行く。
【０１５９】
（ステップＳ７０８）第二処理部３２は、送信する１以上の会計情報を構成する。そして、第二送信部３３は、当該１以上の会計情報を会計情報処理装置１に送信する。ステップＳ７０１に戻る。なお、具体的には、例えば、第二処理部３２は図示しないバッファに格納されている第二ユーザ識別子を付加した１以上の会計情報を構成し、第二送信部３３は当該１以上の会計情報を会計情報処理装置１に送信する。また、送信する１以上の会計情報には、例えば、第二ユーザ識別子、または会計情報を蓄積する表の表識別子が付加されている。
【０１６０】
（ステップＳ７０９）第二受付部３１は、会計情報取得指示を受け付けたか否かを判断する。会計情報取得指示を受け付ければステップＳ７１０に行き、会計情報取得指示を受け付けなければステップＳ７０１に戻る。
【０１６１】
（ステップＳ７１０）第二処理部３２は、送信する会計情報取得指示を構成する。そして、第二送信部３３は、当該会計情報取得指示を会計情報処理装置１に送信する。なお、具体的には、例えば、第二処理部３２は図示しないバッファに格納されている第二ユーザ識別子を付加した会計情報取得指示を構成し、第二送信部３３は当該会計情報取得指示を会計情報処理装置１に送信する。
【０１６２】
（ステップＳ７１１）第二受信部３４は、会計情報取得指示の送信に応じて、１以上の会計情報を受信したか否かを判断する。１以上の会計情報を受信すればステップＳ７１２に行き、１以上の会計情報を受信しなければステップＳ７１１に戻る。
【０１６３】
（ステップＳ７１２）第二出力部３５は、ステップＳ７１１で受信された１以上の会計情報を出力する。ステップＳ７０１に戻る。
【０１６４】
また、図７のフローチャートにおいて、電源オフや処理終了の割り込みにより処理は終了する。
【０１６５】
以下、本実施の形態における会計システムの具体的な動作について説明する。会計システムの概念図は図１である。
【０１６６】
今、会計情報処理装置１のユーザ情報格納部１１１は、図８に示すユーザ情報管理表を格納している、とする。ユーザ情報管理表は、「事業主番号」「ユーザ識別子」「氏名」「所属」等の属性値を有する１以上のレコードを管理している。「事業主番号」は、事業主を特定する情報である。「ユーザ識別子」は、第一ユーザ識別子または第二ユーザ識別子である。事業主番号は、ユーザ識別子である、と考えても良い。
【０１６７】
また、ユーザ管理情報格納部１１２は、図９に示すユーザ管理情報管理表を格納している、とする。ユーザ管理情報管理表は、「第一ユーザ識別子」「第二ユーザ識別子」を有する１以上のレコードを管理している。なお、第一ユーザ識別子は、会計士のユーザ識別子であり、ここでは、先頭に「ｐｒｏ」の文字列を有する、とする。また、第二ユーザ識別子は、顧問先のユーザ識別子であり、ここでは、先頭に「ｕｓｒ」の文字列を有する、とする。
【０１６８】
また、ＵＩ情報格納部１１３は、図１０に示すメニュー情報管理表を保持している。メニュー情報管理表は、ＵＩを構成するメニューに関する情報であるメニュー情報を管理する表である。メニュー情報は、メニュー情報管理表のレコードである。メニュー情報管理表は、「メニューＩＤ」「文字列」「グループ」「アクション」を有する。「メニューＩＤ」はメニューを識別するＩＤである。「文字列」はメニュー上に表示される文字列である。「グループ」はメニューが属するグループである。「アクション」は、メニューが選択された場合に実行される動作である。例えば、アクションの「ｊｕｍｐ  Ｐ１」は、Ｐ１で識別されるパネル（画面）にジャンプする動作であり、Ｐ１で識別される画面が表示される。なお、メニューは、ここではボタンと言っても良い。また、「Ｐ１」「Ｐ２」等の画面の定義情報もＵＩ情報格納部１１３に格納されている、とする。
【０１６９】
また、ＵＩ情報格納部１１３は、図１１に示すＵＩパターン管理表を保持している。ＵＩパターン管理表は、ＵＩのパターンを管理する表である。ＵＩパターン管理表により、会計士（第一ユーザ）は、顧問先（第二ユーザ）の会計の知識等のレベルに合わせて、予め決められたパターンの中から、顧問先のユーザインターフェイスを容易に設定できる。ＵＩパターン管理表は、「ＩＤ」「ＵＩ情報識別子」「メニューＩＤ」を有するレコードである２以上のＵＩパターンを管理する。ここでは、ＵＩパターン管理表は、３つのＵＩパターンを格納している。３つのＵＩパターンとは、初級者が使用するＵＩを特定する「初級者向けメニューセット」、中級者が使用するＵＩを特定する「中級者向けメニューセット」、上級者が使用するＵＩを特定する「上級者向けメニューセット」である。ＵＩ情報識別子で識別されるＵＩパターンのＵＩが、「メニューＩＤ」に含まれる１以上のメニューＩＤで特定される１以上のメニューを有することとなる。
【０１７０】
また、ＵＩ情報格納部１１３は、図示しないが、各種画面（パネル）の定義情報等、第一端末２または第二端末３で出力される画面を構成するための情報が格納されている、とする。
【０１７１】
また、会計情報格納部１１５は、図１２に示す会計伝票管理表を格納している、とする。会計伝票管理表は、会計伝票を管理する表である。ここでは、会計伝票管理表は、支払伝票を管理する表である。会計伝票管理表は、「ＩＤ」「第一ユーザ識別子」「会計情報」を有する１以上のレコードを管理している。「会計情報」は、「日付」「借方勘定科目」「貸方勘定科目」「金額」「摘要」を有する。「摘要」は「借方税区分」「貸方税区分」を有する。「ＩＤ」はレコードを識別する情報である。「日付」は取引の日付を示す。「第一ユーザ識別子」は顧問先の第一ユーザのユーザ識別子である。会計伝票管理表は、第一ユーザごとに、会計情報を管理する表である、とも言える。
【０１７２】
かかる状況において、以下の４つの具体例について説明する。具体例１は、会計士が一の顧問先のユーザインターフェイスを、予め用意された複数のＵＩパターンから一のＵＩパターンを選択することにより、設定する処理を説明する。具体例２は、一の顧問先がユーザインターフェイスをカスタマイズする処理を説明する。具体例３は、会計士が一の顧問先のユーザインターフェイスを、細かく設定できる場合の処理を説明する。具体例４は、会計士が２以上の顧問先のユーザインターフェイスを一括して設定する処理を説明する。なお、ここでの設定は、原則、複数のＵＩパターンから一のＵＩパターンを選択するによる設定である、とする。
【０１７３】
（具体例１）
具体例１は、会計士が一の顧問先のユーザインターフェイスを、予め用意された複数のＵＩパターンから一のＵＩパターンを選択することにより、設定する処理である。
【０１７４】
今、第一ユーザ識別子「ｐｒｏＸ」で識別される会計士「Ｎ０１」は、会計情報処理装置１に対するアクセス指示を第一端末２に入力した、とする。
【０１７５】
次に、会計士「Ｎ０１」の第一端末２の第一受付部２１は、アクセス指示を受け付ける。次に、第一処理部２２は、送信するアクセス指示を構成する。そして、第一送信部２３は構成されたアクセス指示を会計情報処理装置１に送信する。なお、アクセス指示は、第一ユーザ識別子「ｐｒｏＸ」を有する。
【０１７６】
次に、会計情報処理装置１のアクセス指示受信部１２６は、アクセス指示を受信する。ＵＩ情報構成部１３２は、アクセス指示が有するユーザ識別子「ｐｒｏＸ」を取得する。ＵＩ情報構成部１３２は、会計士に対応するＵＩカスタマイズ情報を取得し、ＵＩ情報を構成する。次に、ＵＩ情報送信部１４３は、構成されたＵＩ情報を、アクセス指示を送信してきた第一端末２に送信する。
【０１７７】
次に、第一端末２の第一受信部２４は、会計情報処理装置１からＵＩ情報を受信する。次に、第一処理部２２は、受信されたＵＩ情報から出力するＵＩを構成する。第一出力部２５は、構成されたＵＩを出力する。かかるＵＩの出力例は、図１３である。なお、図１３は、例えば、会計士が顧問先を追加する際の、顧問先登録画面である。
【０１７８】
そして、会計士「Ｎ０１」は、図１３の画面に対して、顧問先「山口和夫」の事業主情報等を入力する（図１３の１３０１参照）。そして、会計士「Ｎ０１」は、当該顧問先の会計知識等のレベルを考慮し、当該顧問先のレベルを「初級」と決定する。そして、会計士「Ｎ０１」は、図１３の画面に対して、「初級者向けメニューセット」を選択する（図１３の１３０２参照）。次に、会計士「Ｎ０１」は、図１３の「登録」ボタン１３０３を押下した、とする。
【０１７９】
すると、第一受付部２１は、ＵＩカスタマイズ情報等を受け付ける。ここで、ＵＩカスタマイズ情報等は、顧問先「山口和夫」の第二ユーザ識別子「ｕｓｒＸ」、ＵＩ情報識別子「初級者向けメニューセット」を有する。次に、第一処理部２２は、送信するＵＩカスタマイズ情報等を構成する。そして、第一送信部２３は構成されたＵＩカスタマイズ情報等を会計情報処理装置１に送信する。
【０１８０】
次に、会計情報処理装置１のＵＩカスタマイズ情報受信部１２２は、第一ユーザ「Ｎ０１」の第一端末２からＵＩカスタマイズ情報等を受信する。なお、当該ＵＩカスタマイズ情報等は、第二ユーザ識別子「ｕｓｒＸ」、ＵＩ情報識別子「初級者向けメニューセット」を有する。
【０１８１】
次に、ユーザ別ＵＩカスタマイズ情報蓄積部１３１は、受信された第二ユーザ識別子「ｕｓｒＸ」に対応付けて、受信されたＵＩカスタマイズ情報をユーザ別ＵＩカスタマイズ情報格納部１１４に蓄積する。なお、ここでは、ユーザ別ＵＩカスタマイズ情報蓄積部１３１は、ＵＩ情報識別子「初級者向けメニューセット」を用いて、図１１のＵＩパターン管理表を検索し、メニューＩＤの集合「ＭＮ０２，ＭＮ０３，ＭＮ０４，ＭＮ０５，ＭＣ０１，ＭＣ０２，ＭＣ０５，ＭＳ０１，ＭＳ０２」を取得する。そして、ユーザ別ＵＩカスタマイズ情報蓄積部１３１は、第二ユーザ識別子「ｕｓｒＸ」に対応付けて、取得したメニューＩＤの集合を、ユーザ別ＵＩカスタマイズ情報格納部１１４に蓄積する、とする。そして、ユーザ別ＵＩカスタマイズ情報格納部１１４には、図１４の「ＩＤ＝１」のレコードが蓄積された、とする。なお、ここでの例は、蓄積されたＵＩカスタマイズ情報は、受信されたＵＩカスタマイズ情報から取得されたＵＩカスタマイズ情報であり、受信されたＵＩカスタマイズ情報とは異なる情報の例である。
【０１８２】
なお、ユーザ別ＵＩカスタマイズ情報格納部１１４は、図１４に示すユーザ別ＵＩカスタマイズ情報管理表を保持している、とする。ユーザ別ＵＩカスタマイズ情報管理表は、ユーザ別のＵＩカスタマイズ情報を管理する表である。ユーザ別ＵＩカスタマイズ情報管理表は、「ＩＤ」「第一ユーザ識別子」「第二ユーザ識別子」「ＵＩカスタマイズ情報」を有するレコードを１以上格納し得る。
【０１８３】
また、図１４の「ＩＤ＝１」のレコードにおいて、ＵＩカスタマイズ情報は、メニューＩＤの集合であった。しかし、図１４の「ＩＤ＝２」のレコードのように、ＵＩカスタマイズ情報は、ＵＩ情報識別子でも良い。
【０１８４】
次に、「ｕｓｒＸ」で識別される顧問先がアクセス指示を第二端末３に入力した、とする。すると、第二端末３の第二受付部３１は、アクセス指示を受け付ける。次に、第二処理部３２は、送信するアクセス指示を構成する。そして、第二送信部３３は構成されたアクセス指示を会計情報処理装置１に送信する。なお、送信されたアクセス指示は、第二ユーザ識別子「ｕｓｒＸ」を有する。
【０１８５】
次に、アクセス指示受信部１２６は、第二ユーザ識別子「ｕｓｒＸ」を有するアクセス指示を受信する。次に、ＵＩ情報構成部１３２は、受信されたアクセス指示が有する第二ユーザ識別子「ｕｓｒＸ」を取得する。
【０１８６】
次に、ＵＩ情報構成部１３２は、第二ユーザ識別子「ｕｓｒＸ」に対応するＵＩカスタマイズ情報「ＭＮ０２，ＭＮ０３，ＭＮ０４，ＭＮ０５，ＭＣ０１，ＭＣ０２，ＭＣ０５，ＭＳ０１，ＭＳ０２」を、図１４のユーザ別ＵＩカスタマイズ情報管理表から取得する。
【０１８７】
次に、ＵＩ情報構成部１３２は、取得したＵＩカスタマイズ情報を用いて、ＵＩ情報を構成する。次に、ＵＩ情報送信部１４３は、構成されたＵＩ情報を、「ｕｓｒＸ」で識別される顧問先の第二端末３に送信する。
【０１８８】
次に、当該第二端末３の第二受信部３４は、アクセス指示の送信に応じて、会計情報処理装置１からＵＩ情報を受信する。
【０１８９】
次に、第二処理部３２は、受信されたＵＩ情報から出力するＵＩを構成する。そして、第二出力部３５は、構成されたＵＩを出力する。かかる出力例は、図１５である。図１５において、ＵＩカスタマイズ情報「ＭＮ０２，ＭＮ０３，ＭＮ０４，ＭＮ０５，ＭＣ０１，ＭＣ０２，ＭＣ０５，ＭＳ０１，ＭＳ０２」に対応するメニュー（ボタン）を有する、初級者向けの画面になっている。
【０１９０】
また、第二ユーザ識別子「ｕｓｒＡ」で識別されるユーザが、第二端末３にアクセス指示を入力した、とする。すると、第二端末３の第二受付部３１は、当該アクセス指示を受け付ける。次に、第二処理部３２は、送信するアクセス指示を構成する。そして、第二送信部３３は構成されたアクセス指示を会計情報処理装置１に送信する。なお、送信されたアクセス指示は、第二ユーザ識別子「ｕｓｒＡ」を有する。
【０１９１】
次に、アクセス指示受信部１２６は、第二ユーザ識別子「ｕｓｒＡ」を有するアクセス指示を受信する。次に、ＵＩ情報構成部１３２は、受信されたアクセス指示が有する第二ユーザ識別子「ｕｓｒＡ」を取得する。
【０１９２】
次に、ＵＩ情報構成部１３２は、第二ユーザ識別子「ｕｓｒＡ」に対応するＵＩカスタマイズ情報「中級者向けメニューセット」を、図１４のユーザ別ＵＩカスタマイズ情報管理表から取得する。なお、ここでのＵＩカスタマイズ情報は、ＵＩ情報識別子である。
【０１９３】
次に、ＵＩ情報構成部１３２は、ＵＩ情報識別子「中級者向けメニューセット」に対応するメニューＩＤの集合「ＭＮ０２，ＭＮ０３，ＭＮ０４，ＭＮ０５，ＭＮ０６，ＭＮ０７，ＮＭ０８，ＮＭ０９，ＮＭ１０，ＭＣ０１，ＭＣ０２，ＭＣ０５，ＭＣ０６，ＭＣ０７，ＭＫ０１，ＭＫ０２，ＭＳ０１，ＭＳ０２」を、図１１のＵＩパターン管理表から取得する。
【０１９４】
次に、ＵＩ情報構成部１３２は、取得したメニューＩＤの集合と、図１０のメニュー情報管理表を用いて、ＵＩ情報を構成する。次に、ＵＩ情報送信部１４３は、構成されたＵＩ情報を、「ｕｓｒＡ」で識別される顧問先の第二端末３に送信する。
【０１９５】
次に、当該第二端末３の第二受信部３４は、アクセス指示の送信に応じて、会計情報処理装置１からＵＩ情報を受信する。
【０１９６】
次に、第二処理部３２は、受信されたＵＩ情報から出力するＵＩを構成する。そして、第二出力部３５は、構成されたＵＩを出力する。かかる出力例は、図１６である。図１６において、メニューＩＤの集合「ＭＮ０２，ＭＮ０３，ＭＮ０４，ＭＮ０５，ＭＮ０６，ＭＮ０７，ＮＭ０８，ＮＭ０９，ＮＭ１０，ＭＣ０１，ＭＣ０２，ＭＣ０５，ＭＣ０６，ＭＣ０７，ＭＫ０１，ＭＫ０２，ＭＳ０１，ＭＳ０２」に対応するメニュー（ボタン）を有する、中級者向けの画面になっている。
【０１９７】
また、第二ユーザ識別子「ｕｓｒＢ」で識別されるユーザが、第二端末３にアクセス指示を入力した、とする。すると、上記と同じ処理により、第二ユーザ識別子「ｕｓｒＢ」で識別されるユーザの第二端末３には、図１７の上級者向けの画面が出力される。
【０１９８】
（具体例２）
具体例２は、一の顧問先がユーザインターフェイスをカスタマイズする処理である。今、第二ユーザ識別子「ｕｓｒＸ」で識別される顧問先「山口和夫」が、自分で、ＵＩをカスタマイズしようとした、とする。そして、顧問先「山口和夫」は、第二端末３にアクセス指示を入力し、会計情報処理装置１にアクセスし、図１８に示すＵＩカスタマイズ画面を第二端末３に表示させた、とする。なお、図１８において、現在のＵＩが含むメニュー項目のみ、黒い枠で囲まれている（図１８の１８０１、１８０２）。また、例えば、顧問先「山口和夫」が、図１３の１３０４の「メニュー確認・カスタマイズ」ボタンを押下することにより、図１８に示すＵＩカスタマイズ画面が第二端末３に表示できた、とする。
【０１９９】
次に、顧問先「山口和夫」は、現金出納帳入力もしたい、と考え、図１８の１８０３のボタンを指示した、とする。すると、「現金出納帳入力」のメニュー項目も、黒い枠で囲まれた、とする。そして、顧問先「山口和夫」は、「ＯＫ」ボタン１８０４を押下した、とする。
【０２００】
次に、第二受付部３１は、ＵＩカスタマイズ情報を受け付ける。ここで、ＵＩカスタマイズ情報は、「ＭＮ０２，ＭＮ０３，ＭＮ０４，ＭＮ０５，ＭＮ０６，ＭＣ０１，ＭＣ０２，ＭＣ０５，ＭＳ０１，ＭＳ０２」であり、新たに選択したメニュー項目「現金出納帳入力」のメニューＩＤ「ＭＮ０６」も含まれる。次に、第二処理部３２は、第二ユーザ識別子「ｕｓｒＸ」を上記のＵＩカスタマイズ情報に付加し、送信するＵＩカスタマイズ情報等を構成する。そして、第二送信部３３は構成されたＵＩカスタマイズ情報等を会計情報処理装置１に送信する。
【０２０１】
次に、第二ＵＩカスタマイズ情報受信部１２３は、第二ユーザの第二端末３からＵＩカスタマイズ情報を受信する。
【０２０２】
次に、送信部１４は、第二ユーザがＵＩを変更しようとしている旨を示すＵＩ変更情報を、顧問の会計士に通知する。なお、処理部１３は、受信された第二ユーザ識別子「ｕｓｒＸ」と対になる第二ユーザのユーザ情報（例えば、「山口和夫」等）を用いて、通知するＵＩ変更情報「顧問先「山口和夫」様がユーザインターフェイスを更新されます。宜しいでしょうか？」を構成する。そして、処理部１３は、受信された第二ユーザ識別子「ｕｓｒＸ」と対になる第一ユーザ識別子「ｐｒｏＸ」をユーザ管理情報管理表（図９参照）から取得する。そして、処理部１３は、第一ユーザ識別子と対になる第一ユーザへの連絡先情報（例えば、メールアドレス）をユーザ情報管理表（図８参照）から取得する。次に、送信部１４は、第一ユーザへの連絡先情報が示す通知先に、構成されたＵＩ変更情報「顧問先「山口和夫」様がユーザインターフェイスを更新されます。宜しいでしょうか？」を送信する。
【０２０３】
次に、第一ユーザ識別子「ｐｒｏＸ」で識別される会計士の第一端末２の第一受信部２４は、ＵＩ変更の旨を受信する。次に、第一出力部２５は、受信されたＵＩ変更情報「顧問先「山口和夫」様がユーザインターフェイスを更新されます。宜しいでしょうか？」を出力する。
【０２０４】
次に、第一ユーザ識別子「ｐｒｏＸ」で識別される会計士は、顧問先「山口和夫」のＵＩの変更を許可する許可情報を入力した、とする。すると、第一受付部２１は、許可情報を受け付ける。第一処理部２２は、送信する許可情報等を構成する。そして、第一送信部２３は、構成された許可情報等を会計情報処理装置１に送信する。なお、許可情報等は、例えば、第二ユーザ識別子「ｕｓｒＸ」を有する。また、当該会計士は、許可情報を入力する前に、顧問先「山口和夫」のＵＩを確認することは好適である。
【０２０５】
次に、会計情報処理装置１の許可情報受信部１２４は、許可情報等を受信する。そして、ユーザ別ＵＩカスタマイズ情報蓄積部１３１は、受信された許可情報に対応するＵＩカスタマイズ情報を、許可情報に対応する第二ユーザ識別子「ｕｓｒＸ」に対応付けて、ユーザ別ＵＩカスタマイズ情報管理表に蓄積する。ここで、第二ユーザ識別子「ｕｓｒＸ」に対応付くＵＩカスタマイズ情報（図１４参照）は、「ＭＮ０２，ＭＮ０３，ＭＮ０４，ＭＮ０５，ＭＮ０６，ＭＣ０１，ＭＣ０２，ＭＣ０５，ＭＳ０１，ＭＳ０２」になった。
【０２０６】
（具体例３）
具体例３は、会計士が一の顧問先のユーザインターフェイスを、細かく設定できる場合の処理である。
【０２０７】
今、第一ユーザ識別子「ｐｒｏＸ」で識別される会計士「Ｎ０１」は、会計情報処理装置１に対するアクセス指示を入力した、とする。そして、一の顧問先のユーザインターフェイスを、細かく設定するＵＩ設定画面を第一端末２に表示させた、とする。かかるＵＩ設定画面の例は図１９である。なお、例えば、会計士「Ｎ０１」が、図１３の１３０４の「メニュー確認・カスタマイズ」ボタンを押下することにより、図１９に示すＵＩ設定画面が第二端末３に表示できた、とする。
【０２０８】
そして、会計士「Ｎ０１」は、図１９の画面において、顧問先「山口和夫」に使用させるメニュー項目を選択していく、とする。ここで、選択されたメニュー項目は、黒い枠で囲まれている。また、会計士「Ｎ０１」は、図１９の画面において、事業主番号、氏名等の、顧問先の情報を入力する、とする。次に、会計士「Ｎ０１」は、図１９の画面の「ＯＫ」ボタン１９０１を押下した、とする。なお、選択されたメニュー項目のメニューＩＤの集合は「ＭＮ０２，ＭＮ０３，ＭＮ０４，ＭＮ０５，ＭＮ０６，ＭＮ０７，ＭＣ０１，ＭＣ０２，ＭＣ０５」である。
【０２０９】
次に、第一受付部２１は、ＵＩカスタマイズ情報等を受け付ける。ＵＩカスタマイズ情報等は、上記のメニューＩＤの集合を有する。次に、第一処理部２２は、送信するＵＩカスタマイズ情報等を構成する。そして、第一送信部２３は構成されたＵＩカスタマイズ情報等を会計情報処理装置１に送信する。送信するＵＩカスタマイズ情報等は、上記のメニューＩＤの集合、顧問先「山口和夫」の第二ユーザ識別子「ｕｓｒＸ」、および第一ユーザ識別子「ｐｒｏＸ」を有する、とする。
【０２１０】
次に、会計情報処理装置１のＵＩカスタマイズ情報受信部１２２は、会計士「Ｎ０１」の第一端末２からＵＩカスタマイズ情報等を受信する。
【０２１１】
次に、ユーザ別ＵＩカスタマイズ情報蓄積部１３１は、受信された第二ユーザ識別子「ｕｓｒＸ」に対応付けて、受信されたＵＩカスタマイズ情報「ＭＮ０２，ＭＮ０３，ＭＮ０４，ＭＮ０５，ＭＮ０６，ＭＮ０７，ＭＣ０１，ＭＣ０２，ＭＣ０５」をユーザ別ＵＩカスタマイズ情報管理表に蓄積する。
【０２１２】
その後、顧問先「山口和夫」が会計情報処理装置１にアクセスすると、ＵＩカスタマイズ情報「ＭＮ０２，ＭＮ０３，ＭＮ０４，ＭＮ０５，ＭＮ０６，ＭＮ０７，ＭＣ０１，ＭＣ０２，ＭＣ０５」を用いて構成された画面が、第二端末３に出力される。
【０２１３】
（具体例４）
具体例４は、会計士が２以上の顧問先のユーザインターフェイスを一括して設定する処理を説明する具体例である。
【０２１４】
会計士「ＮＯ１」は、会計情報処理装置１にアクセスし、２以上の顧問先のＵＩを一括して設定するＵＩ設定指示を第一端末２に入力した、とする。すると、第一受付部２１は、当該ＵＩ設定指示を受け付ける。次に、第一処理部２２は、送信するＵＩ設定指示を構成する。そして、第一送信部２３は、構成されたＵＩ設定指示を会計情報処理装置１に送信する。なお、送信するＵＩ設定指示は、会計士の第一ユーザ識別子「ｐｒｏＸ」を有する。
【０２１５】
次に、会計情報処理装置１のＵＩ設定指示受信部１２１は、ＵＩ設定指示を第一端末２から受信する。
【０２１６】
次に、ＵＩ情報構成部１３２は、受信されたＵＩ設定指示が有する第一ユーザ識別子「ｐｒｏＸ」を取得する。次に、ＵＩ情報構成部１３２は、取得した第一ユーザ識別子「ｐｒｏＸ」と対になる２つの第二ユーザ識別子「ｕｓｒＸ，ｕｓｒＢ」をユーザ管理情報格納部１１２から取得する。そして、ＵＩ情報構成部１３２は、取得した２つの各第二ユーザ識別子に対応する２つの第二ユーザ情報をユーザ情報格納部１１１から取得する。ここでは、ＵＩ情報構成部１３２は、第二ユーザ識別子「ｕｓｒＸ」に対応する第二ユーザ情報「山口和夫，ＯＢＣ商店」、第二ユーザ識別子「ｕｓｒＢ」に対応する第二ユーザ情報「田中太郎，田中商店」を取得した、とする。次に、ＵＩ情報構成部１３２は、取得したユーザ情報を用いて、ＵＩ設定画面情報を構成する。
【０２１７】
次に、ＵＩ設定画面情報送信部１４１は、構成されたＵＩ設定画面情報を、ＵＩ設定指示を送信してきた会計士「ＮＯ１」の第一端末２に送信する。
【０２１８】
次に、第一端末２の第一受信部２４は、ＵＩ設定指示の送信に応じて、会計情報処理装置１からＵＩ設定画面情報を受信する。
【０２１９】
次に、第一処理部２２は、受信されたＵＩ設定画面情報からＵＩ設定画面を構成する。そして、第一出力部２５は、構成されたＵＩ設定画面を出力する。かかる顧問先のＵＩ設定画面の例は、図２０である。
【０２２０】
次に、会計士「ＮＯ１」は、顧問先「山口和夫」のレベルを考慮し、図２０の画面において、レベル「初級」を選択した、とする。また、会計士「ＮＯ１」は、顧問先「田中太郎」のレベルを考慮し、図２０の画面において、レベル「中級」を選択した、とする。そして、会計士「ＮＯ１」は、図２０の画面において、登録ボタン２００１を押下した、とする。
【０２２１】
次に、第一受付部２１は、ＵＩカスタマイズ情報等を受け付ける。ここで、ＵＩカスタマイズ情報等は、２つの顧問先のＵＩカスタマイズ情報を有する。つまり、ＵＩカスタマイズ情報等は、顧問先「山口和夫」の第二ユーザ識別子「ｕｓｒＸ」とＵＩ情報識別子「初級向けメニューセット」、および顧問先「田中太郎」の第二ユーザ識別子「ｕｓｒＢ」とＵＩ情報識別子「中級向けメニューセット」を有する。
【０２２２】
次に、第一処理部２２は、送信するＵＩカスタマイズ情報等を構成する。そして、第一送信部２３は構成されたＵＩカスタマイズ情報等を会計情報処理装置１に送信する。なお、送信するＵＩカスタマイズ情報等は、顧問先「山口和夫」の第二ユーザ識別子「ｕｓｒＸ」とＵＩ情報識別子「初級向けメニューセット」、顧問先「田中太郎」の第二ユーザ識別子「ｕｓｒＢ」とＵＩ情報識別子「中級向けメニューセット」、および第一ユーザ識別子「ｐｒｏＸ」を有する。
【０２２３】
次に、会計情報処理装置１のＵＩカスタマイズ情報受信部１２２は、第一ユーザの第一端末２からＵＩカスタマイズ情報等を受信する。
【０２２４】
次に、ユーザ別ＵＩカスタマイズ情報蓄積部１３１は、受信された第二ユーザ識別子「ｕｓｒＸ」に対応付けて、受信されたＵＩカスタマイズ情報「初級向けメニューセット」をユーザ別ＵＩカスタマイズ情報管理表に蓄積する。また、ユーザ別ＵＩカスタマイズ情報蓄積部１３１は、受信された第二ユーザ識別子「ｕｓｒＢ」に対応付けて、受信されたＵＩカスタマイズ情報「中級向けメニューセット」をユーザ別ＵＩカスタマイズ情報管理表に蓄積する。
【０２２５】
なお、ここで、ユーザ別ＵＩカスタマイズ情報蓄積部１３１は、ＵＩ情報識別子「初級向けメニューセット」からメニューＩＤの集合をＵＩパターン管理表から取得し、第二ユーザ識別子「ｕｓｒＸ」に対応付けて、取得したメニューＩＤの集合をユーザ別ＵＩカスタマイズ情報管理表に蓄積しても良い。また、ユーザ別ＵＩカスタマイズ情報蓄積部１３１は、ＵＩ情報識別子「中級向けメニューセット」からメニューＩＤの集合をＵＩパターン管理表から取得し、第二ユーザ識別子「ｕｓｒＢ」に対応付けて、取得したメニューＩＤの集合をユーザ別ＵＩカスタマイズ情報管理表に蓄積しても良い。
【０２２６】
また、会計士が２以上の顧問先のユーザインターフェイスを一括して設定する場合でも、具体例３で説明したように、会計士が各顧問先のユーザインターフェイスを、細かく設定できても良いことは言うまでもない。
【０２２７】
以上、本実施の形態によれば、会計士が、顧問先のレベル等に応じて、顧問先が利用するユーザインターフェイスを設定できる。
【０２２８】
また、本実施の形態によれば、会計士が、顧問先のレベル等に合わせて、予め決められたパターンの中から、顧問先のユーザインターフェイスを容易に設定できる。
【０２２９】
また、本実施の形態によれば、顧問先がユーザインターフェイスを変更できる。また、本実施の形態によれば、顧問先がユーザインターフェイスを変更した場合、顧問の会計士が当該変更を知ることができる。
【０２３０】
また、本実施の形態によれば、会計士の許可がある場合のみ、顧問先がユーザインターフェイスを変更できる。
【０２３１】
さらに、本実施の形態によれば、会計士が、複数の顧問先のユーザインターフェイスを容易に設定できる。
【０２３２】
なお、本実施の形態における処理は、ソフトウェアで実現しても良い。そして、このソフトウェアをソフトウェアダウンロード等により配布しても良い。また、このソフトウェアをＣＤ−ＲＯＭなどの記録媒体に記録して流布しても良い。なお、このことは、本明細書における他の実施の形態においても該当する。なお、本実施の形態における会計情報処理装置１を実現するソフトウェアは、以下のようなプログラムである。つまり、このプログラムは、コンピュータがアクセス可能な記録媒体は、会計士である第一ユーザを識別する第一ユーザ識別子と当該会計士の顧問先である１以上の第二ユーザを識別する１以上の第二ユーザ識別子とを有する１以上のユーザ管理情報を格納し得るユーザ管理情報格納部を具備し、コンピュータを、第二ユーザを識別する第二ユーザ識別子と、当該第二ユーザが使用するユーザインターフェイスに関する情報であるＵＩカスタマイズ情報とを、当該第二ユーザの顧問の会計士である第一ユーザの第一端末から受信するＵＩカスタマイズ情報受信部と、第二ユーザ識別子を有するアクセス指示を、当該第二ユーザ識別子で識別される第二ユーザの第二端末から受信するアクセス指示受信部と、前記アクセス指示が有する第二ユーザ識別子に対応するＵＩカスタマイズ情報を用いて構成されるユーザインターフェイスを構成するＵＩ情報を、前記第二端末に送信するＵＩ情報送信部として機能させるためのプログラムである。
【０２３３】
また、記録媒体は、各第二ユーザ識別子に対応付けて、１または２以上の会計情報を格納し得る会計情報格納部をさらに具備し、上記プログラムにおいて、コンピュータを、第二ユーザ識別子を有する会計情報取得指示を、当該第二ユーザ識別子で識別される第二ユーザの第二端末から受信する会計情報取得指示受信部と、前記会計情報取得指示が有する第二ユーザ識別子に対応付けられた１以上の会計情報を前記会計情報格納部から取得する会計情報取得部と、前記１以上の会計情報を前記第二端末に送信する会計情報送信部 として、さらに機能させるプログラムであることは好適である。
【０２３４】
また、記録媒体は、第二ユーザ識別子と、当該第二ユーザ識別子で識別される第二ユーザが使用するユーザインターフェイスに関するＵＩカスタマイズ情報との組である１以上のユーザ別ＵＩカスタマイズ情報を格納し得るユーザ別ＵＩカスタマイズ情報格納部をさらに具備し、上記プログラムにおいて、コンピュータを、前記ＵＩカスタマイズ情報受信部が受信した第二ユーザ識別子とＵＩカスタマイズ情報とを有するユーザ別ＵＩカスタマイズ情報を前記ユーザ別ＵＩカスタマイズ情報格納部に蓄積するユーザ別ＵＩカスタマイズ情報蓄積部と、前記アクセス指示が有する第二ユーザ識別子に対応するＵＩカスタマイズ情報を前記ユーザ別ＵＩカスタマイズ情報格納部から取得し、当該ＵＩカスタマイズ情報を用いてＵＩ情報を構成するＵＩ情報構成部としてさらに機能させ、前記ＵＩ情報送信部は、前記ＵＩ情報構成部が構成したＵＩ情報を前記第二端末に送信する ものとして、コンピュータを機能させるプログラムであることは好適である。
【０２３５】
また、上記プログラムにおいて、コンピュータを、第二ユーザ識別子とＵＩカスタマイズ情報とを、前記第二ユーザの第二端末から受信する第二ＵＩカスタマイズ情報受信部としてさらに機能させ、前記ＵＩ情報送信部は、前記アクセス指示が有する第二ユーザ識別子に対応するＵＩカスタマイズ情報であり、前記第二ＵＩカスタマイズ情報受信部が受信したＵＩカスタマイズ情報を用いて構成されるユーザインターフェイスを構成するＵＩ情報を、前記第二端末に送信するものとして、コンピュータを機能させるプログラムであることは好適である。
【０２３６】
また、上記プログラムにおいて、コンピュータを、前記第二ＵＩカスタマイズ情報受信部が第二ユーザ識別子とＵＩカスタマイズ情報とを受信した場合、第二ユーザ識別子とＵＩカスタマイズ情報とを受信したことに関する情報であるＵＩ変更情報を、前記第二ユーザ識別子と対になる第一ユーザ識別子で識別される第一端末に送信するＵＩ変更情報送信部としてさらに機能させるプログラムであることは好適である。
【０２３７】
また、上記プログラムにおいて、コンピュータを、第一端末からユーザインターフェイスの変更を許可する許可情報を受信する許可情報受信部としてさらに機能させ、前記許可情報受信部が許可情報を受信した場合のみ、当該許可情報に対応する第二ユーザ識別子と対になるＵＩカスタマイズ情報の受け付けであり、第二端末からの受け付けが可能となるものとして、コンピュータを機能させるプログラムであることは好適である。
【０２３８】
また、上記プログラムにおいて、コンピュータを、顧問先のユーザインターフェイスを確認する指示であり、顧問先の第二ユーザ識別子を有する指示である確認指示を、当該第二ユーザ識別子と対になる第一ユーザ識別子で識別さされる第一ユーザの第一端末から受信する確認指示受信部としてさらに機能させ、前記ＵＩ情報送信部は、前記確認指示が有する第二ユーザ識別子に対応するＵＩカスタマイズ情報を用いて構成されるユーザインターフェイスを構成するＵＩ情報を、前記第一端末に送信するものとして、コンピュータを機能させるプログラムであることは好適である。
【０２３９】
また、上記プログラムにおいて、前記ＵＩカスタマイズ情報受信部が受信するＵＩカスタマイズ情報は、ＵＩ情報を識別する２以上のＵＩ情報識別子のうちの一のＵＩ情報識別子であり、前記ＵＩ情報送信部は、前記アクセス指示が有する第二ユーザ識別子に対応するＵＩ情報識別子に対応するユーザインターフェイスを構成するＵＩ情報を、前記第二端末に送信する ものとして、コンピュータを機能させるプログラムであることは好適である。
【０２４０】
また、上記プログラムにおいて、コンピュータを、顧問先のＵＩの設定を行う指示であり、第一ユーザを識別する第一ユーザ識別子を有するＵＩ設定指示を第一端末から受信するＵＩ設定指示受信部と、前記ＵＩ設定指示が有する第一ユーザ識別子と対になる１または２以上の第二ユーザ識別子に対する１以上の第二ユーザのユーザインターフェイスを設定するための画面であるＵＩ設定画面を構成するＵＩ設定画面情報を、前記第一端末に送信するＵＩ設定画面情報送信部としてさらに機能させるプログラムであることは好適である。
【０２４１】
また、図２１は、本明細書で述べたプログラムを実行して、上述した種々の実施の形態の会計情報処理装置を実現するコンピュータの外観を示す。上述の実施の形態は、コンピュータハードウェア及びその上で実行されるコンピュータプログラムで実現され得る。図２１は、このコンピュータシステム３００の概観図であり、図２２は、システム３００のブロック図である。
【０２４２】
図２１において、コンピュータシステム３００は、ＣＤ−ＲＯＭドライブを含むコンピュータ３０１と、キーボード３０２と、マウス３０３と、モニタ３０４とを含む。
【０２４３】
図２２において、コンピュータ３０１は、ＣＤ−ＲＯＭドライブ３０１２に加えて、ＭＰＵ３０１３と、バス３０１４と、ＲＯＭ３０１５と、ＲＡＭ３０１６と、ハードディスク３０１７とを含む。なお、バス３０１４は、ＭＰＵ３０１３やＣＤ−ＲＯＭドライブ３０１２に接続されている。また、ＲＯＭ３０１５には、ブートアッププログラム等のプログラムが記憶されている。また、ＲＡＭ３０１６は、ＭＰＵ３０１３に接続され、アプリケーションプログラムの命令を一時的に記憶するとともに一時記憶空間を提供するためのものである。また、ハードディスク３０１７は、アプリケーションプログラム、システムプログラム、及びデータを記憶するためのものである。ここでは、図示しないが、コンピュータ３０１は、さらに、ＬＡＮへの接続を提供するネットワークカードを含んでも良い。
【０２４４】
コンピュータシステム３００に、上述した実施の形態の会計情報処理装置の機能を実行させるプログラムは、ＣＤ−ＲＯＭ３１０１に記憶されて、ＣＤ−ＲＯＭドライブ３０１２に挿入され、さらにハードディスク３０１７に転送されても良い。これに代えて、プログラムは、図示しないネットワークを介してコンピュータ３０１に送信され、ハードディスク３０１７に記憶されても良い。プログラムは実行の際にＲＡＭ３０１６にロードされる。プログラムは、ＣＤ−ＲＯＭ３１０１またはネットワークから直接、ロードされても良い。
【０２４５】
プログラムは、コンピュータ３０１に、上述した実施の形態の会計情報処理装置の機能を実行させるオペレーティングシステム、またはサードパーティープログラム等は、必ずしも含まなくても良い。プログラムは、制御された態様で適切な機能（モジュール）を呼び出し、所望の結果が得られるようにする命令の部分のみを含んでいれば良い。コンピュータシステム３００がどのように動作するかは周知であり、詳細な説明は省略する。
【０２４６】
なお、上記プログラムにおいて、情報を送信するステップや、情報を受信するステップなどでは、ハードウェアによって行われる処理、例えば、送信するステップにおけるモデムやインターフェースカードなどで行われる処理（ハードウェアでしか行われない処理）は含まれない。
【０２４７】
また、上記プログラムを実行するコンピュータは、単数であってもよく、複数であってもよい。すなわち、集中処理を行ってもよく、あるいは分散処理を行ってもよい。
【０２４８】
また、上記各実施の形態において、一の装置に存在する２以上の通信手段は、物理的に一の媒体で実現されても良いことは言うまでもない。
【０２４９】
また、上記各実施の形態において、各処理（各機能）は、単一の装置（システム）によって集中処理されることによって実現されてもよく、あるいは、複数の装置によって分散処理されることによって実現されてもよい。
【０２５０】
本発明は、以上の実施の形態に限定されることなく、種々の変更が可能であり、それらも本発明の範囲内に包含されるものであることは言うまでもない。
【産業上の利用可能性】
【０２５１】
以上のように、本発明にかかる会計情報処理装置は、会計士が、顧問先のレベル等に応じて、顧問先が利用するユーザインターフェイスを設定できるという効果を有し、会計情報処理を実現するサーバ装置等として有用である。
【符号の説明】
【０２５２】
１  会計情報処理装置
２  第一端末
３  第二端末
１１  格納部
１２  受信部
１３  処理部
１４  送信部
２１  第一受付部
２２  第一処理部
２３  第一送信部
２４  第一受信部
２５  第一出力部
３１  第二受付部
３２  第二処理部
３３  第二送信部
３４  第二受信部
３５  第二出力部
１１１  ユーザ情報格納部
１１２  ユーザ管理情報格納部
１１３  ＵＩ情報格納部
１１４  ユーザ別ＵＩカスタマイズ情報格納部
１１５  会計情報格納部
１２１  ＵＩ設定指示受信部
１２２  ＵＩカスタマイズ情報受信部
１２３  第二ＵＩカスタマイズ情報受信部
１２４  許可情報受信部
１２５  確認指示受信部
１２６  アクセス指示受信部
１２７  会計情報取得指示受信部
１３１  ユーザ別ＵＩカスタマイズ情報蓄積部
１３２  ＵＩ情報構成部
１３３  会計情報取得部
１４１  ＵＩ設定画面情報送信部
１４２  ＵＩ変更情報送信部
１４３  ＵＩ情報送信部
１４４  会計情報送信部
【図１】
2018133112.tif 000003
【図２】
2018133112.tif 000004
【図３】
2018133112.tif 000005
【図４】
2018133112.tif 000006
【図５】
2018133112.tif 000007
【図６】
2018133112.tif 000008
【図７】
2018133112.tif 000009
【図８】
2018133112.tif 000010
【図９】
2018133112.tif 000011
【図１０】
2018133112.tif 000012
【図１１】
2018133112.tif 000013
【図１２】
2018133112.tif 000014
【図１３】
2018133112.tif 000015
【図１４】
2018133112.tif 000016
【図１５】
2018133112.tif 000017
【図１６】
2018133112.tif 000018
【図１７】
2018133112.tif 000019
【図１８】
2018133112.tif 000020
【図１９】
2018133112.tif 000021
【図２０】
2018133112.tif 000022
【図２１】
2018133112.tif 000023
【図２２】
2018133112.tif 000024